(57)【特許請求の範囲】
【請求項１】
設定上限高さ以下でかつ設定上限重量以下となる設定許容条件にて、物品をパレットに段積み状態に積み付ける積付け部と、前記パレットを載置支持する複数の収納部が並設された保管棚と、前記積付け部にて物品が積み付けられた前記パレットを前記収納部に収納し、かつ、前記収納部に収納した前記パレットを搬出すべく前記パレットを搬送する搬送手段と、前記搬送手段の作動を制御する制御手段とが設けられ、
前記搬送手段が、前記収納部の外方に引退する引退状態と前記収納部内に突出する突出状態とに出退駆動自在で且つ昇降駆動自在な物品載置体にて、前記パレットを前記収納部に収納する降ろし処理及び前記収納部に収納した前記パレットを取り出す掬い処理を行うように構成され、
前記収納部が、前記突出状態の前記物品載置体が上下に通過する間隔を隔てる状態で並置された左右一対の支持体にて、前記パレットの両端部を載置支持するように構成され、
前記制御手段が、前記降ろし処理を行うときには、前記左右一対の支持体よりも高い降ろし用基準高さにて前記物品載置体を前記突出状態に突出させ、次に、前記左右一対の支持体よりも低い降ろし用目標高さに前記物品載置体を下降させ、その後、前記物品載置体を前記引退状態に引退させるべく、前記搬送手段の作動を制御し、かつ、前記掬い処理を行うときには、前記降ろし用目標高さに相当する掬い用基準高さにて前記物品載置体を前記突出状態に突出させ、次に、前記降ろし用基準高さに相当する掬い用目標高さに前記物品載置体を上昇させ、その後、前記物品載置体を前記引退状態に引退させるべく、前記搬送手段の作動を制御するように構成されている物品保管設備であって、
前記パレットとして、前記収納部に収納したときの下方側への撓み量が、前記設定上限重量で物品を積付けても、許容限度内となる難撓みパレットと、前記設定上限重量で物品を積付けると、前記許容限度を超える易撓みパレットとがあり、
前記収納部として、前記撓み量が前記許容限度内の前記パレットを収納するための標準収納部と、前記撓み量が前記許容限度を超える前記パレットを収納するための補助収納部とが設けられ、
前記標準収納部における前記左右一対の支持体に対する前記降ろし用目標高さ及び前記掬い用基準高さよりも、前記補助収納部における前記左右一対の支持体に対する前記降ろし用目標高さ及び前記掬い用基準高さの方を低く設定し、
前記制御手段が、
前記降ろし用目標高さ及び前記掬い用基準高さを、前記撓み量が前記許容限度内の前記パレットよりも前記撓み量が前記許容限度を超える前記パレットの方を低く定めて、前記降ろし処理及び前記掬い処理を実行するように構成され、且つ、
前記撓み量が前記許容限度内の前記パレットを収納することが指令された場合には、前記標準収納部に前記パレットを収納し、かつ、前記撓み量が前記許容限度を超える前記パレットを収納することが指令された場合には、前記補助収納部に前記パレットを収納するように構成されている物品保管設備。
【請求項２】
前記保管棚の棚前後方向に並ぶ一対の柱からなる柱組が、前記保管棚の棚横幅方向に並べて床面部に立設され、且つ、前記柱組の夫々に、前記支持体が前記棚横幅方向に向けて片持ち状に突出する状態で上下方向に並べて設けられて、棚横幅方向に隣接して並ぶ前記柱組の間に、前記収納部が上下方向に並ぶ状態に形成され、
前記上下方向に並ぶ収納部のうちの、最下段の収納部が、前記補助収納部に構成され、かつ、前記上下方向に並ぶ収納部のうちの、最下段の収納部を除いた収納部が、前記標準収納部に構成されている請求項１記載の物品保管設備。
【請求項３】
前記保管棚の棚前後方向に並ぶ一対の柱からなる柱組が、分割された柱下方側部分と柱上方側部分とを接続して形成された状態で、前記保管棚の棚横幅方向に並べて床面部に立設され、且つ、前記柱組の夫々に、前記支持体が前記棚横幅方向に向けて片持ち状に突出する状態で上下方向に並べて設けられて、棚横幅方向に隣接して並ぶ前記柱組の間に、前記収納部が上下方向に並ぶ状態に形成され、
前記上下方向に並ぶ収納部のうちの、前記柱下方側部分における最下段に位置するもの及び前記柱上方側部分における最下段に位置するものが、前記補助収納部に構成され、かつ、前記上下方向に並ぶ収納部のうちの、前記柱下方側部分における最下段の収納部及び前記柱上方側部分における最下段の収納部を除いた収納部が、前記標準収納部に構成されている請求項１記載の物品保管設備。
【請求項４】
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記撓み量が前記許容限度内となる前記パレットについての前記降ろし用目標高さに位置させたときには、前記物品載置体が下方の収納部に収納されている物品の上面から設定融通距離を離れる間隔に定めた状態に構成され、
前記積付け部が、
前記補助収納部の全てに前記パレットが収納されているときに前記易撓みパレットに物品を積み付ける場合には、前記設定上限高さ以下でかつ前記設定上限重量よりも低く定めた易撓みパレット用上限重量以下となる易撓みパレット用設定条件にて、物品を積み付けるように構成され、
前記制御手段が、
前記標準収納部のうちの空き状態のものを収納対象の標準収納部として、前記易撓みパレット用設定条件にて物品が積まれた前記易撓みパレットを収納すべく、前記搬送手段の作動を制御するように構成されている請求項１〜３のいずれか１項に記載の物品保管設備。
【請求項５】
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記撓み量が前記許容限度内となる前記パレットについての前記降ろし用目標高さに位置させたときには、前記物品載置体が下方の収納部に収納されている物品の上面から設定融通距離を離れる間隔に定めた状態に構成され、
前記制御手段が、
前記補助収納部の全てに前記パレットが収納されているときに前記撓み量が前記許容限度を超える前記パレットを収納する場合には、前記標準収納部のうちの空き状態の標準収納部のうちで、下方の収納部に物品が収納されていない標準収納部、又は、下方の収納部に物品が収納されている標準収納部であって、下方の収納部に収納されている物品の高さと収納対象のパレットの前記撓み量とに基づいて、収納対象のパレットを収納するときに、前記降ろし用目標高さの前記物品載置体が下方の標準収納部に収納されている物品の上面から設定融通距離を離れることが予測される標準収納部を、収納対象の収納部として選択するように構成されている請求項１〜３のいずれか１項に記載の物品保管設備。
【請求項６】
前記制御手段が、
前記パレットを前記標準収納部に収納するときに、前記標準収納部のうちの空き状態の標準収納部のうちで、上方の標準収納部に前記撓み量が前記許容限度を超えるパレットが収納されていない標準収納部、又は、上方の標準収納部に前記撓み量が前記許容限度を超えるパレットが収納されている標準収納部であって、その標準収納部に収納対象のパレットを収納したと仮定した状態において、上方の標準収納部に収納されているパレットの前記撓み量と収納対象のパレットに積まれている物品の高さとに基づいて、上方の標準収納部に収納されているパレットを取り出すときに、前記掬い用基準高さの前記物品載置体が収納対象のパレットに積まれている物品の上面から設定融通距離を離れることが予測される標準収納部を、収納対象の収納部として選択するように構成されている請求項５記載の物品保管設備。
【請求項７】
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記撓み量が前記許容限度内となる前記パレットについての前記降ろし用目標高さに位置させたときには、前記物品載置体が下方の収納部に収納されている物品の上面から設定融通距離を離れる間隔に定めた状態に構成され、
前記積付け部が、
前記補助収納部の全てに前記パレットが収納されているときに前記易撓みパレットに物品を積み付ける場合には、前記標準収納部のうちの空き状態の標準収納部の一つを収納予定の収納部として選択するように構成され、かつ、その収納予定の収納部の下方の収納部に物品が収納されている場合には、前記設定許容条件に代えて、収納対象の前記易撓みパレットを収納予定の収納部に収納するときに、前記降ろし用目標高さの前記物品載置体が下方の収納部に収納されている物品の上面から設定融通距離を離れる状態となるように、下方の収納部に収納されている物品の高さに基づいて、その易撓みパレットの前記撓み量を規制する撓み量規制条件にて物品を積み付けるように構成され、
前記制御手段が、
物品が積み付けられた収納対象の前記易撓みパレットを、その易撓みパレットについての収納予定の収納部に収納すべく、前記搬送手段の作動を制御するように構成されている請求項１〜３のいずれか１項に記載に物品保管設備。
【請求項８】
前記積付け部が、
前記撓み量が前記許容限度を超えるパレットが前記標準収納部に収納されている場合において前記標準収納部に収納する収納対象の前記パレットに物品を積み付けるときには、前記標準収納部のうちの空き状態の標準収納部の一つを収納予定の収納部として選択するように構成され、かつ、その収納予定の収納部の上方の収納部に前記撓み量が前記許容限度を超えるパレットが収納されているときには、前記設定許容条件の前記設定上限高さに代えて、収納対象のパレットを前記収納予定の収納部に収納したと仮定した状態において、上方の収納部に収納されている前記パレットを取り出すときに、前記掬い用基準高さの前記物品載置体が収納対象のパレットに積まれている物品の上面から前記設定融通距離を離れる状態となるように、上方の収納部に収納されているパレットの前記撓み量に基づいて、収納対象のパレットに積み付ける物品の高さを規制する高さ規制条件にて物品を積み付けるように構成され、
前記制御手段が、
物品が積み付けられた収納対象の前記パレットを、そのパレットについての収納予定の収納部に収納すべく、前記搬送手段の作動を制御するように構成されている請求項７記載の物品保管設備。
【発明の詳細な説明】
【技術分野】
【０００１】
本発明は、設定上限高さ以下でかつ設定上限重量以下となる設定許容条件にて、物品をパレットに段積み状態に積み付ける積付け部と、前記パレットを載置支持する複数の収納部が並設された保管棚と、前記積付け部にて物品が積み付けられた前記パレットを前記収納部に収納し、かつ、前記収納部に収納した前記パレットを搬出すべく前記パレットを搬送する搬送手段と、前記搬送手段の作動を制御する制御手段とが設けられ、
前記搬送手段が、前記収納部の外方に引退する引退状態と前記収納部内に突出する突出状態とに出退駆動自在で且つ昇降駆動自在な物品載置体にて、前記パレットを前記収納部に収納する降ろし処理及び前記収納部に収納した前記パレットを取り出す掬い処理を行うように構成され、
前記収納部が、前記突出状態の前記物品載置体が上下に通過する間隔を隔てる状態で並置された左右一対の支持体にて、前記パレットの両端部を載置支持するように構成され、
前記制御手段が、前記降ろし処理を行うときには、前記左右一対の支持体よりも高い降ろし用基準高さにて前記物品載置体を前記突出状態に突出させ、次に、前記左右一対の支持体よりも低い降ろし用目標高さに前記物品載置体を下降させ、その後、前記物品載置体を前記引退状態に引退させるべく、前記搬送手段の作動を制御し、かつ、前記掬い処理を行うときには、前記降ろし用目標高さに相当する掬い用基準高さにて前記物品載置体を前記突出状態に突出させ、次に、前記降ろし用基準高さに相当する掬い用目標高さに前記物品載置体を上昇させ、その後、前記物品載置体を前記引退状態に引退させるべく、前記搬送手段の作動を制御するように構成されている物品保管設備に関する。
【背景技術】
【０００２】
パレットを載置支持する複数の収納部が並設された保管棚を備える物品保管設備に物品を保管する場合には、積付け部にてパレットに物品を積み付けて、物品が積み付けられたパレットを、スタッカークレーン等の搬送手段にて搬送して、収納部に収納することになる（例えば、特許文献１参照。）。
ちなみに、特許文献１においては、物品としてのコンテナをパレットに積み付けることが例示されている。
【０００３】
スタッカークレーン等の搬送手段は、収納部の外方に引退する引退状態と収納部内に突出する突出状態とに出退駆動自在で且つ昇降駆動自在な物品載置体を備えて、パレットを収納部に収納する降ろし処理及び収納部に収納したパレットを取り出す掬い処理を行うように構成され、また、収納部が、突出状態の物品載置体が上下に通過する間隔を隔てる状態で並置された左右一対の支持体にて、パレットの両端部を載置支持するように構成されることになる。
【０００４】
そして、搬送手段の作動を制御する制御手段が、降ろし処理を行うときには、左右一対の支持体よりも高い降ろし用基準高さにて物品載置体を突出状態に突出させ、次に、左右一対の支持体よりも低い降ろし用目標高さに物品載置体を下降させ、その後、物品載置体を引退状態に引退させるべく、搬送手段の作動を制御し、かつ、掬い処理を行うときには、降ろし用目標高さに相当する掬い用基準高さにて物品載置体を突出状態に突出させ、次に、降ろし用基準高さに相当する掬い用目標高さに物品載置体を上昇させ、その後、物品載置体を引退状態に引退させるべく、搬送手段の作動を制御するように構成されている（例えば、特許文献２参照。）。
【０００５】
上記特許文献１及び特許文献２には記載されていないが、パレットに物品を積み付ける際には、設定上限高さ以下でかつ設定上限重量以下となる設定許容条件にて、物品をパレットに段積み状態に積み付けることが行われることになる。
つまり、保管棚の耐荷重やパレットの耐荷重等に基づいて、パレットに物品を積み付ける際の設定上限重量が定められることになる。
また、降ろし処理や掬い処理を行う際に、降ろし用目標高さ及び掬い用基準高さの物品載置体が、下方の収納部に収納されている物品の上面から設定融通距離（例えば、１５ｍｍ）以上離れる状態となるように、パレットに物品を積み付ける際の設定上限高さが定められることになる。
【０００６】
説明を加えると、一般には、特許文献２において図示されているように、保管棚の棚前後方向に並ぶ一対の柱からなる柱組が、保管棚の棚横幅方向に並べて床面部に立設され、且つ、柱組の夫々に、支持体が棚横幅方向に向けて片持ち状に突出する状態で上下方向に並べて設けられて、棚横幅方向に隣接して並ぶ柱組の間に、収納部が上下方向に並ぶ状態に形成される形態で、保管棚が構成されることになる。
【０００７】
そして、上下方向に並ぶ支持体の隣接するもの同士の間隔が、物品が設定上限高さとなるように積み付けられたパレットが収納されている収納部の上方の収納部に対して、降ろし処理や掬い処理を行う際に、降ろし用目標高さ及び掬い用基準高さの物品載置体が下方の収納部に収納されている物品の上面から設定融通距離（例えば、２５ｍｍ）以上離れる間隔に定められて、降ろし用目標高さ及び掬い用基準高さに対する物品載置体の停止位置が多少ずれることや、物品載置体が上下に振動するようなことがあっても、物品載置体が物品に接当する等のトラブルの発生を回避するようになっている。
【０００８】
また、パレットは、収納部に収納されたときには、左右の支持体にて左右両端部が載置支持されるため、左右の支持体の間に位置する部分が、積み付けられた物品の重量にて下方側に撓むことになり、そして、その下方側への撓み量は、設定上限重量以下で物品を積み付けたときには、許容限度内（例えば、１０ｍｍ内）となるように構成される。
そして、降ろし用目標高さ及び掬い用基準高さの物品載置体と支持体に載置したパレットの下面との間には、２０ｍｍ程度の余裕間隔を隔てる必要があるため、降ろし用目標高さ及び掬い用基準高さが、パレットの撓み量を考慮して定められることになるため、結果的に、上下方向に並ぶ支持体の隣接するもの同士の間隔は、パレットの撓み量をも考慮して定められることになる。
【０００９】
例えば、降ろし処理のために降ろし用目標高さで物品載置体を収納部内に突出させた状態を例にして説明すると、図５に示すように、上下方向に並ぶ支持体の隣接するもの同士の間隔Ｌ１は、収納対象の収納部の下方の収納部に収納されたパレットの厚みＬ５、そのパレットに段積みされる物品の高さの最大高さに相当する設定上限高さＬ６、その物品の上面と物品載置体の下面との間隔である設定融通距離Ｌ３、物品載置体の厚みＬ４、及び、物品載置体の上面と収納対象の収納部における支持体の上面との離間距離Ｌ２を加えた値になる。そして、離間距離Ｌ２は、パレットの下方側への撓み量と、降ろし用目標高さ及び掬い用基準高さの物品載置体と支持体に載置したパレットの下面との間の余裕間隔を加えた値となる。
【先行技術文献】
【特許文献】
【００１０】
【特許文献１】特開平５−２６２４０７号公報
【特許文献２】特開２０００−２２９７０６号公報
【発明の概要】
【発明が解決しようとする課題】
【００１１】
物品保管設備に使用するパレットは、上述の如く、設定許容条件における設定上限重量以下となるように物品を積み付ければ、その撓み量が許容限度内となるものであるが、パレットとして、設定許容条件における設定上限重量で物品を積み付けても、その撓み量が許容限度を超えるパレットを使用することが望まれる場合がある。
【００１２】
例えば、物品保管設備を設置する際に、その設置箇所に、以前から使用されているパレットが存在する場合があり、このような場合には、物品保管設備を設置するためのイニシャルコストの低下を図るべく、以前から使用されているパレットを保管棚にて保管するパレットとして使用することになるが、この以前から使用されているパレットが、設定許容条件における設定上限重量で物品を積み付けても、その撓み量が許容限度を超える場合がある。
【００１３】
したがって、物品保管設備に使用されるパレットとしては、設定許容条件における設定上限重量以下となるように物品を積み付ければ、その撓み量が許容限度内となるパレット（以下、難撓みパレットと略称する）と、設定許容条件における設定上限重量で物品を積み付けても、その撓み量が許容限度を超えるパレット（以下、易撓みパレットと略称する）とが存在することになる。
【００１４】
そして、易撓みパレットにも、単に、設定許容条件における設定上限重量以下となるように物品を積み付ければ、その撓み量が、例えば３０ｍｍになる等、許容限度を超える場合が存在することになる。
このような場合には、降ろし処理における降ろし用目標高さ、及び、掬い処理における掬い用基準高さを、易撓みパレットの撓み量の最大値に基づいて定めて、それに合わせて、上下方向に並ぶ支持体の隣接するもの同士の間隔を定めた形態で保管棚を構成することが考えられる。
【００１５】
ちなみに、易撓みパレットの撓み量が最大となるのは、設定許容条件における設定上限重量にて易撓みパレットにて物品を積み込んだときであり、そして、降ろし用目標高さ及び掬い用基準高さを、易撓みパレットの撓み量の最大値に基づいて定めるとは、撓み量が最大となる易撓みパレットを収納部の支持体にて支持した状態において、そのパレットの下面から余裕間隔（例えば、１５ｍｍ）だけ下方に位置する高さに、降ろし用目標高さ及び掬い用基準高さを定めることを意味するものである。
【００１６】
しかしながら、降ろし用目標高さ及び掬い用基準高さを易撓みパレットの撓み量の最大値に基づいて定め、それに合わせて、上下方向に並ぶ支持体の隣接するもの同士の間隔を定めた形態で保管棚を構成すると、上下方向に並ぶ支持体の隣接するもの同士の間隔が、難撓みパレットの撓み量に鑑みて保管棚を構成する場合に較べて、大きくなるため、保管棚の収納効率が低下する不都合があった。
【００１７】
本発明は、上記実状に鑑みて為されたものであって、その目的は、パレットとして、設定上限重量で物品を積み付けて収納部に収納した際の下方側の撓み量が許容限度内となるパレットと、許容限度を超えるパレットとを使用しながらも、保管棚の収納効率の低下を抑制することができる物品保管設備を提供する点にある。
【課題を解決するための手段】
【００１８】
本発明の物品保管設備は、設定上限高さ以下でかつ設定上限重量以下となる設定許容条件にて、物品をパレットに段積み状態に積み付ける積付け部と、前記パレットを載置支持する複数の収納部が並設された保管棚と、前記積付け部にて物品が積み付けられた前記パレットを前記収納部に収納し、かつ、前記収納部に収納した前記パレットを搬出すべく前記パレットを搬送する搬送手段と、前記搬送手段の作動を制御する制御手段とが設けられ、
前記搬送手段が、前記収納部の外方に引退する引退状態と前記収納部内に突出する突出状態とに出退駆動自在で且つ昇降駆動自在な物品載置体にて、前記パレットを前記収納部に収納する降ろし処理及び前記収納部に収納した前記パレットを取り出す掬い処理を行うように構成され、
前記収納部が、前記突出状態の前記物品載置体が上下に通過する間隔を隔てる状態で並置された左右一対の支持体にて、前記パレットの両端部を載置支持するように構成され、
前記制御手段が、前記降ろし処理を行うときには、前記左右一対の支持体よりも高い降ろし用基準高さにて前記物品載置体を前記突出状態に突出させ、次に、前記左右一対の支持体よりも低い降ろし用目標高さに前記物品載置体を下降させ、その後、前記物品載置体を前記引退状態に引退させるべく、前記搬送手段の作動を制御し、かつ、前記掬い処理を行うときには、前記降ろし用目標高さに相当する掬い用基準高さにて前記物品載置体を前記突出状態に突出させ、次に、前記降ろし用基準高さに相当する掬い用目標高さに前記物品載置体を上昇させ、その後、前記物品載置体を前記引退状態に引退させるべく、前記搬送手段の作動を制御するように構成されているものであって、その第１特徴構成は、
前記パレットとして、前記収納部に収納したときの下方側への撓み量が、前記設定上限重量で物品を積付けても、許容限度内となる難撓みパレットと、前記設定上限重量で物品を積付けると、前記許容限度を超える易撓みパレットとがあり、
前記収納部として、前記撓み量が前記許容限度内の前記パレットを収納するための標準収納部と、前記撓み量が前記許容限度を超える前記パレットを収納するための補助収納部とが設けられ、
前記標準収納部における前記左右一対の支持体に対する前記降ろし用目標高さ及び前記掬い用基準高さよりも、前記補助収納部における前記左右一対の支持体に対する前記降ろし用目標高さ及び前記掬い用基準高さの方を低く設定し、
前記制御手段が、
前記降ろし用目標高さ及び前記掬い用基準高さを、前記撓み量が前記許容限度内の前記パレットよりも前記撓み量が前記許容限度を超える前記パレットの方を低く定めて、前記降ろし処理及び前記掬い処理を実行するように構成され、且つ、
前記撓み量が前記許容限度内の前記パレットを収納することが指令された場合には、前記標準収納部に前記パレットを収納し、かつ、前記撓み量が前記許容限度を超える前記パレットを収納することが指令された場合には、前記補助収納部に前記パレットを収納するように構成されている点を特徴とする。
【００１９】
すなわち、パレットとして、収納部に収納したときの下方側への撓み量が、設定上限重量で物品を積付けても、許容限度内となる難撓みパレットと、設定上限重量で物品を積付けると、許容限度を超える易撓みパレットとが存在する。
また、収納部として、撓み量が許容限度内のパレットを収納するための標準収納部と、撓み量が許容限度を超えるパレットを収納するための補助収納部とが、降ろし用目標高さ及び掬い用基準高さを、標準収納部よりも補助収納部の方を低く設定できる状態で設けられる。
【００２０】
そして、制御手段が、降ろし用目標高さ及び掬い用基準高さを、撓み量が許容限度内のパレットよりも撓み量が許容限度を超えるパレットの方を低く定めて、降ろし処理及び掬い処理を実行することになり、且つ、撓み量が許容限度内のパレットを収納することが指令された場合には、標準収納部にパレットを収納し、かつ、撓み量が許容限度を超えるパレットを収納することが指令された場合には、補助収納部にパレットを収納することになる。
【００２１】
つまり、難撓みパレットは、下方側への撓み量が許容限度を超えることがないため、標準収納部に収納されることになる。
そして、易撓みパレットは、下方側への撓み量が許容限度を超えるときには、補助収納部に収納され、かつ、下方側への撓み量が許容限度を超えないときには、標準収納部に収納されることになる。
【００２２】
このように、収納部として、撓み量が許容限度内のパレットを収納するための標準収納部と、撓み量が許容限度を超えるパレットを収納するための補助収納部とを設けて、撓み量が許容限度を超えるパレットを補助収納部に収納し、撓み量が許容限度内のパレットを標準収納部に収納するようにするものであるから、パレットとして、難撓みパレットと易撓みパレットとを用いるようにしながらも、保管棚の収納効率の低下を抑制できるのである。
【００２３】
説明を加えると、設定上限高さ以下でかつ設定上限重量以下となる設定許容条件にて、物品をパレットに段積み状態に積み付けるようにした場合に、設定許容条件には設定上限高さ以下という条件があるため、易撓みパレットの全ての撓み量が許容限度を超えることはなく、易撓みパレットのうちの一部のものの撓み量が許容限度を超えるものであるから、保管棚に備えさせる収納部としては、収納効率を向上できる標準収納部を多く設置し、収納効率を低下させることになる補助収納部を少数設置すればよいため、パレットとして、難撓みパレットと易撓みパレットとを用いるようにしながらも、保管棚の収納効率の低下を抑制できるのである。
【００２４】
要するに、本願発明の第１特徴構成によれば、パレットとして、設定上限重量で物品を積み付けて収納部に収納した際の下方側の撓み量が許容限度内となるパレットと、許容限度を超えるパレットとを使用しながらも、保管棚の収納効率の低下を抑制することができる物品保管設備を提供できる。
【００２５】
本発明の物品保管設備の第２特徴構成は、上記第１特徴構成に加えて、
前記保管棚の棚前後方向に並ぶ一対の柱からなる柱組が、前記保管棚の棚横幅方向に並べて床面部に立設され、且つ、前記柱組の夫々に、前記支持体が前記棚横幅方向に向けて片持ち状に突出する状態で上下方向に並べて設けられて、棚横幅方向に隣接して並ぶ前記柱組の間に、前記収納部が上下方向に並ぶ状態に形成され、
前記上下方向に並ぶ収納部のうちの、最下段の収納部が、前記補助収納部に構成され、かつ、前記上下方向に並ぶ収納部のうちの、最下段の収納部を除いた収納部が、前記標準収納部に構成されている点を特徴とする。
【００２６】
すなわち、保管棚が、棚横幅方向に隣接して並ぶ柱組の間に、収納部が上下方向に並ぶ状態に形成される形態で構成されることになるが、上下方向に並ぶ収納部のうちの、最下段の収納部が、補助収納部に構成され、かつ、上下方向に並ぶ収納部のうちの、最下段の収納部を除いた収納部が、標準収納部に構成される。
【００２７】
つまり、柱組に上下方向に並べて設けられる複数の支持体のうちの、最下方の支持体は、一般に、柱組を床面に設置する際の作業に邪魔にならないようにする等の目的で、柱組の下端から大きく離れる高さに設置されるため、その最下方の支持体に対して、物品載置体を十分に下方に位置させることができる点を鑑みて、上下方向に並ぶ収納部のうちの、最下段の収納部を、補助収納部とし、上下方向に並ぶ収納部のうちの、最下段の収納部を除いた収納部を、標準収納部とするのである。
【００２８】
要するに、本発明の第２特徴構成によれば、上記第１特徴構成による作用効果に加えて、柱組を床面に設置する作業性を向上させながら、パレットとして、難撓みパレットと易撓みパレットと用いる場合において、保管棚の収納効率の低下を抑制できる物品保管設備を提供できる。
【００２９】
本発明の物品保管設備の第３特徴構成は、上記第１特徴構成に加えて、
前記保管棚の棚前後方向に並ぶ一対の柱からなる柱組が、分割された柱下方側部分と柱上方側部分とを接続して形成された状態で、前記保管棚の棚横幅方向に並べて床面部に立設され、且つ、前記柱組の夫々に、前記支持体が前記棚横幅方向に向けて片持ち状に突出する状態で上下方向に並べて設けられて、棚横幅方向に隣接して並ぶ前記柱組の間に、前記収納部が上下方向に並ぶ状態に形成され、
前記上下方向に並ぶ収納部のうちの、前記柱下方側部分における最下段に位置するもの及び前記柱上方側部分における最下段に位置するものが、前記補助収納部に構成され、かつ、前記上下方向に並ぶ収納部のうちの、前記柱下方側部分における最下段の収納部及び前記柱上方側部分における最下段の収納部を除いた収納部が、前記標準収納部に構成されている点を特徴とする。
【００３０】
すなわち、保管棚が、棚横幅方向に隣接して並ぶ柱組の間に、収納部が上下方向に並ぶ状態に形成される形態で構成されることになるが、柱組が、柱下方側部分と柱上方側部分とを接続して形成され、そして、上下方向に並ぶ収納部のうちの、柱下方側部分における最下段の収納部及び柱上方側部分における最下段の収納部が、補助収納部に構成され、かつ、上下方向に並ぶ収納部のうちの、前記柱下方側部分における最下段の収納部及び前記柱上方側部分における最下段の収納部を除いた収納部が、標準収納部に構成される。
【００３１】
つまり、収納部が上下方向に沿って多数段に並ぶ保管棚を構成する場合においては、棚前後方向に並ぶ一対の柱からなる柱組を柱下方側部分と柱上方側部分とに分解した状態で設置箇所に搬送して、設置箇所にて、柱下方側部分と柱上方側部分とを接続して、柱組を形成して、その柱組を床面に設置することになる。
【００３２】
そして、上下方向に並べて柱組に設けられる複数の支持体のうちの、柱下方側部分における最下方の支持体は、一般に、柱組における柱下方側部分を床面に設置する際の作業に邪魔にならないようにする等の目的で、柱組の下端から大きく離れる高さに設置されるため、その最下方の支持体に対して、物品載置体を十分に下方に位置させることができることになり、また、上下方向に並べて柱組に設けられる複数の支持体のうちの、柱上方側部分における最下方の支持体は、一般に、柱上方側部分と柱下方側部分とを接続する際の作業に邪魔にならないようにする等の目的で、柱上方側部分の下端から大きく離れる高さに設置されるため、その最下方の支持体に対して、物品載置体を十分に下方に位置させることができることになる。
【００３３】
したがって、このような点に鑑みて、上下方向に並ぶ収納部のうちの、柱下方側部分における最下段に位置するもの及び柱上方側部分における最下段に位置するものを、補助収納部とし、そして、上下方向に並ぶ収納部のうちの、柱下方側部分における最下段の収納部及び柱上方側部分における最下段の収納部を除いた収納部を、標準収納部とするのである。
【００３４】
要するに、本発明の第３特徴構成によれば、上記第１特徴構成による作用効果に加えて、柱組を床面に設置する作業性や柱組と組立てる作業性を向上させながら、パレットとして、難撓みパレットと易撓みパレットと用いる場合において、保管棚の収納効率の低下を抑制できる物品保管設備を提供できる。
【００３５】
本発明の物品保管設備の第４特徴構成は、上記第１〜第３特徴構成のいずれかに加えて、
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記撓み量が前記許容限度内となる前記パレットについての前記降ろし用目標高さに位置させたときには、前記物品載置体が下
方の収納部に収納されている物品の上面から設定融通距離を離れる間隔に定めた状態に構成され、
前記積付け部が、
前記補助収納部の全てに前記パレットが収納されているときに前記易撓みパレットに物品を積み付ける場合には、前記設定上限高さ以下でかつ前記設定上限重量よりも低く定めた易撓みパレット用上限重量以下となる易撓みパレット用設定条件にて、物品を積み付けるように構成され、
前記制御手段が、
前記標準収納部のうちの空き状態のものを収納対象の標準収納部として、前記易撓みパレット用設定条件にて物品が積まれた前記易撓みパレットを収納すべく、前記搬送手段の作動を制御するように構成されている点を特徴とする。
【００３６】
すなわち、積付け部が、補助収納部の全てにパレットが収納されているときに易撓みパレットに物品を積み付ける場合には、設定上限高さ以下でかつ設定上限量よりも低く定めた易撓みパレット用上限重量以下となる易撓みパレット用設定条件にて、物品を積み付けることになる。
そして、易撓みパレット用設定条件における易撓みパレット用上限重量として、その易撓みパレット用上限重量にて物品を易撓みパレットに積み付けたときに、易撓みパレットの下方側への撓み量が上述した許容限度内となる重量に設定しておくことにより、易撓みパレットの下方側への撓み量を、上述した許容限度内に収めることができる。
【００３７】
そして、制御手段が、標準収納部のうちの空き状態のものを収納対象の標準収納部として、易撓みパレット用設定条件にて物品が積まれた易撓みパレットを収納すべく、搬送装置の作動を制御することになる。
【００３８】
要するに、本発明の第４特徴構成によれば、上記第１〜第３特徴構成による作用効果に加えて、補助収納部の全てにパレットが収納されているときには、下方側の撓み量が許容限度内となるように物品を積み付けた易撓みパレットを標準収納部に収納できる物品保管設備を提供できる。
【００３９】
本発明の物品保管設備の第５特徴構成は、上記第１〜第３特徴構成のいずれかに加えて、
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記下方側への撓み量が前記許容限度内となる前記パレットについての前記降ろし用目標高さに位置させたときには、前記物品載置体が下方の収納部に収納されている物品の上面から設定融通距離を離れる間隔に定めた状態に構成され、
前記制御手段が、
前記補助収納部の全てに前記パレットが収納されているときに前記下方側への撓み量が前記許容限度を超える前記パレットを収納する場合には、前記標準収納部のうちの空き状態の標準収納部のうちで、下方の収納部に物品が収納されていない標準収納部、又は、下方の収納部に物品が収納されている標準収納部であって、下方の収納部に収納されている物品の高さと収納対象のパレットの前記撓み量とに基づいて、収納対象のパレットを収納するときに、前記降ろし用目標高さの前記物品載置体が下方の収納部に収納されている物品の上面から設定融通距離を離れることが予測される標準収納部を、収納対象の収納部として選択するように構成されている点を特徴とする。
【００４０】
すなわち、制御手段が、補助収納部の全てにパレットが収納されているときに下方側への撓み量が許容限度を超えるパレットを収納する場合には、標準収納部のうちの空き状態の標準収納部のうちで、下方の収納部に物品が収納されていない標準収納部、又は、下方の収納部に物品が収納されている標準収納部であって、下方の収納部に収納されている物品の高さと収納対象のパレットの撓み量とに基づいて、収納対象のパレットを収納するときに、降ろし用目標高さの物品載置体が下方の収納部に収納されている物品の上面から設定融通距離を離れることが予測される標準収納部を、収納対象の収納部として選択するように構成されている。
【００４１】
そして、制御手段が、補助収納部の全てにパレットが収納されているときにおいては、上述の如く選択される収納対象の収納部に、下方側への撓み量が許容限度を超えるパレットを収納すべく、搬送手段の作動を制御することになる。
【００４２】
つまり、標準収納部のうちの空き状態の標準収納部うちで、下方の収納部に物品が収納されていない標準収納部は、その標準収納部に対して下方側への撓み量が許容限度を超えるパレット収納するときに、降ろし用目標高さの物品載置体に対する停止位置が多少ずれることや、物品載置体が上下振動するようなことがあっても、下方の収納部には物品が収納されていないため、物品載置体が下方の収納部に収納されている物品に接当することを回避できる標準収納部である。
【００４３】
又、標準収納部のうちの空き状態の標準収納部うちで、下方の収納部に物品が収納されている標準収納部であって、下方の収納部に収納されている物品の高さと収納対象の易撓みパレットの撓み量とに基づいて、降ろし用目標高さの物品載置体が下方の収納部に収納されている物品の上面から設定融通距離を離れることが予測される標準収納部は、その標準収納部に対して下方側への撓み量が許容限度を超えるパレットを収納するときに、降ろし用目標高さに対する物品載置体の停止位置が多少ずれることや、物品載置体が上下振動するようなことがあっても、降ろし用目標高さの物品載置体が、下方の収納部に収納されている物品の上面から設定融通距離を離れているため、物品載置体が下方の収納部に収納されている物品に接当することを回避できる標準収納部である。
【００４４】
このように、補助収納部の全てにパレットが収納されているときに下方側への撓み量が許容限度を超えるパレットを収納する場合には、標準収納部のうちの空き状態の標準収納部うちで、降ろし用目標高さに対する物品載置体の停止位置が多少ずれることや、物品載置体が上下振動するようなことがあっても、物品載置体が下方の収納部に収納されている物品と接当することがない標準収納部にパレットを収納することができる。
【００４５】
要するに、本発明の第５特徴構成によれば、上記第１〜第３特徴構成のいずれかによる作用効果に加えて、補助収納部の全てにパレットが収納されているときには、下方側への撓み量が許容限度を超えるパレットを、物品載置体が物品に接当するトラブル発生を回避しながら、標準収納部に収納できる物品保管設備を提供できる。
【００４６】
本発明の物品保管設備の第６特徴構成は、上記第５特徴構成に加えて、
前記制御手段が、
前記パレットを前記標準収納部に収納するときに、前記標準収納部のうちの空き状態の標準収納部のうちで、上方の標準収納部に前記撓み量が前記許容限度を超えるパレットが収納されていない標準収納部、又は、上方の標準収納部に前記撓み量が前記許容限度を超えるパレットが収納されている標準収納部であって、その標準収納部に収納対象のパレットを収納したと仮定した状態において、上方の標準収納部に収納されているパレットの前記撓み量と収納対象のパレットに積まれている物品の高さとに基づいて、上方に位置する標準収納部に収納されているパレットを取り出すときに、前記掬い用基準高さの前記物品載置体が収納対象のパレットに積まれている物品の上面から設定融通距離を離れることが予測される標準収納部を、収納対象の収納部として選択するように構成されている点を特徴とする。
【００４７】
すなわち、制御手段が、パレットを標準収納部に収納するときに、標準収納部のうちの空き状態の標準収納部のうちで、上方の標準収納部に撓み量が許容限度を超えるパレットが収納されていない標準収納部、又は、上方の標準収納部に撓み量が許容限度を超えるパレットが収納されている標準収納部であって、その標準収納部に収納対象のパレットを収納したと仮定した状態において、上方の標準収納部に収納されているパレットの撓み量と収納対象のパレットに積まれている物品の高さとに基づいて、上方の標準収納部に収納されているパレットを取り出すときに、掬い用基準高さの物品載置体が収納対象のパレットに積まれている物品の上面から設定融通距離を離れることが予測される標準収納部を、収納対象の収納部として選択するように構成されている。
【００４８】
つまり、撓み量が許容限度を超えるパレットが標準収納部に収納されている場合においては、撓み量が許容限度を超えるパレットを収納する標準収納部の下方の収納部に、物品が積み付けられたパレットを収納すると、上方の標準収納部からのパレットの取出しを適正通り行えなくなることがある。
例えば、標準収納部のうちの空き状態の標準収納部のうちで、上方の標準収納部に撓み量が許容限度を超えるパレットが収納されている標準収納部に対して、パレットを収納する場合において、そのパレットに積み付けられた物品の高さが設定上限高さであるときには、上方の標準収納部に収納されているパレットを取り出すときに、掬い用基準高さの物品載置体と収納対象のパレットに積まれている物品の上面とが設定融通距離を離れない状態となって、上方の標準収納部からのパレットの取出しを適正通り行うことができないものとなる。
【００４９】
しかしながら、標準収納部のうちの空き状態の標準収納部のうちで、上方の標準収納部に撓み量が許容限度を超えるパレットが収納されていない標準収納部は、その標準収納部にパレットを収納しても、上方の標準収納部にはパレットが収納されていないため、上方の標準収納部からのパレットの取出しが行われることがないから、上方の標準収納部からのパレットの取出しに悪影響を与えることがない。
【００５０】
また、標準収納部のうちの空き状態の標準収納部のうちで、上方の標準収納部に撓み量が許容限度を超えるパレットが収納されている標準収納部に対して、パレットを収納する場合において、上方の標準収納部に収納されているパレットの撓み量と収納対象のパレットに積まれている物品の高さとに基づいて、上方の標準収納部に収納されているパレットを取り出すときに、掬い用基準高さの物品載置体が収納対象のパレットに積まれている物品の上面から設定融通距離を離れることが予測される標準収納部は、その標準収納部にパレットを収納しても、上方の標準収納部に収納されているパレットを取り出すときに、掬い用基準高さの物品載置体と収納対象のパレットに積まれている物品の上面とが設定融通距離を離れことになるため、上方の標準収納部からのパレットの取出しを適正通り行うことができるものとなる。
【００５１】
このように、本第６特徴構成によれば、パレットを標準収納部に収納するにあたり、上方の標準収納部からのパレットの取出しに悪影響を与えることのない標準収納部を選択するものであるから、標準収納部に収納されている撓み量が許容限度を超えるパレットを掬い処理によって取出しながら搬出することを、そのパレットが収納されている標準収納部の下方の標準収納部にパレット（物品）が収納されている状態で、適正通り良好に行うことができる。
【００５２】
要するに、本発明の第６特徴構成によれば、上記第５特徴構成の作用効果に加えて、撓み量が許容限度を超えるパレットを掬い処理によって取出しながら搬出することを、下方の標準収納部に収納されるパレット（物品）の影響を受けることなく、適正通り良好に行える物品保管設備を提供できる。
【００５３】
本発明の物品保管設備の第７特徴構成は、上記第１〜第３特徴構成のいずれかに加えて、
前記保管棚が、上下方向に並ぶ前記標準収納部における上下に隣接する前記標準収納部の夫々が装備する前記支持体の上下方向の間隔を、収納対象の収納部の下方の収納部に前記設定上限高さの物品を積んだ前記パレットが撓みのない状態で収納されていると仮定した場合において、収納対象の収納部に対して前記降ろし処理を行うために、前記物品載置体を前記撓み量が前記許容限度内となる前記パレットについての前記降ろし用目標高さに位置させたときには、前記物品載置体が下方の収納部に収納されている物品の上面から設定融通距離を離れる間隔に定めた状態に構成され、
前記積付け部が、
前記補助収納部の全てに前記パレットが収納されているときに前記易撓みパレットに物品を積み付ける場合には、前記標準収納部のうちの空き状態の標準収納部の一つを収納予定の収納部として選択するように構成され、かつ、その収納予定の収納部の下方の収納部に物品が収納されている場合には、前記設定許容条件に代えて、収納対象の前記易撓みパレットを収納予定の収納部に収納するときに、前記降ろし用目標高さの前記物品載置体が下方の収納部に収納されている物品の上面から設定融通距離を離れる状態となるように、下方の収納部に収納されている物品の高さに基づいて、その易撓みパレットの前記撓み量を規制する撓み量規制条件にて物品を積み付けるように構成され、
前記制御手段が、
物品が積み付けられた収納対象の前記易撓みパレットを、その易撓みパレットについての収納予定の収納部に収納すべく、前記搬送手段の作動を制御するように構成されている点を特徴とする。
【００５４】
すなわち、積付け部が、補助収納部の全てにパレットが収納されているときに易撓みパレットに物品を積み付ける場合には、標準収納部のうちの空き状態の標準収納部の一つを収納予定の収納部として選択することになる。
そして、積付け部は、収納予定の収納部の下方の収納部に物品が収納されていない場合には、設定許容条件にて物品を積み付けることになるが、収納予定の収納部の下方の収納部に物品が収納されている場合には、設定許容条件に代えて、収納対象の易撓みパレットを収納予定の収納部に収納するときに、降ろし用目標高さの物品載置体が下方の収納部に収納されている物品の上面から設定融通距離を離れる状態となるように、下方の収納部に収納されている物品の高さに基づいて、その易撓みパレットの撓み量を規制する撓み量規制条件にて物品を積み付けることになる。
【００５５】
制御手段が、物品が積み付けられた収納対象の易撓みパレットを、その易撓みパレットについての収納予定の収納部に収納すべく、搬送手段の作動を制御することになる。
【００５６】
つまり、標準収納部のうちの空き状態の標準収納部うちで、下方の収納部に物品が収納されていない標準収納部は、その標準収納部に対して下方側への撓み量が許容限度を超えるパレットを収納するときに、降ろし用目標高さに対する物品載置体の停止位置が多少ずれることや、物品載置体が上下振動するようなことがあっても、下方の収納部には物品が収納されていないため、物品載置体が物品に接当する虞がない標準収納部である。
これに対して、標準収納部のうちの空き状態の標準収納部のうちで、下方の収納部に物品が収納されている標準収納部は、その標準収納部に対して下方側への撓み量が許容限度を超えるパレットを収納するときに、降ろし用目標高さに対する物品載置体の停止位置が多少ずれることや、物品載置体が上下振動するようなことがあると、物品載置体が下方の収納部に収納されている物品に接当する虞がある。
【００５７】
本第７特徴構成によれば、積付け部が、補助収納部の全てにパレットが収納されているときに易撓みパレットに物品を積み付ける場合において、標準収納部のうちの空き状態の標準収納部うちで、下方の収納部に物品が収納されている標準収納部を収納予定の収納部として選択した場合には、設定許容条件に代えて、収納対象の易撓みパレットを収納予定の収納部に収納するときに、降ろし用目標高さの物品載置体が下方の収納部に収納されている物品の上面から設定融通距離を離れる状態となるように、下方の収納部に収納されている物品の高さに基づいて、その易撓みパレットの撓み量を規制する撓み量規制条件にて物品を積み付けることになるため、収納予定の収納部に易撓みパレットを収納するときに、物品載置体が下方の収納部に収納されている物品に接当することを回避できる。
【００５８】
要するに、本発明の第７特徴構成によれば、上記第１〜第３特徴構成のいずれかによる作用効果に加えて、補助収納部の全てにパレットが収納されているときには、易撓みパレットの全てを標準収納部に収納させるようにしながらも、降ろし用目標高さの物品載置体が物品と接当することを回避できる物品保管設備を提供できる。
【００５９】
本発明の物品保管設備の第８特徴構成は、上記第７特徴構成に加えて、
前記積付け部が、
前記撓み量が前記許容限度を超えるパレットが前記標準収納部に収納されている場合において前記標準収納部に収納する収納対象の前記パレットに物品を積み付けるときには、前記標準収納部のうちの空き状態の標準収納部の一つを収納予定の収納部として選択するように構成され、かつ、その収納予定の収納部の上方の収納部に前記撓み量が前記許容限度を超えるパレットが収納されているときには、前記設定許容条件の前記設定上限高さに代えて、収納対象のパレットを前記収納予定の収納部に収納したと仮定した状態において、上方の収納部に収納されている前記パレットを取り出すときに、前記掬い用基準高さの前記物品載置体が収納対象のパレットに積まれている物品の上面から前記設定融通距離を離れる状態となるように、上方の収納部に収納されているパレットの前記撓み量に基づいて、収納対象のパレットに積み付ける物品の高さを規制する高さ規制条件にて物品を積み付けるように構成され、
前記制御手段が、
物品が積み付けられた収納対象の前記パレットを、そのパレットについての収納予定の収納部に収納すべく、前記搬送手段の作動を制御するように構成されている点を特徴とする。
【００６０】
すなわち、積付け部が、撓み量が許容限度を超えるパレットが標準収納部に収納されている場合において標準収納部に収納する収納対象のパレットに物品を積み付けるときには、標準収納部のうちの空き状態の収納部の一つを収納予定の収納部として選択し、そして、その収納予定の収納部の上方の収納部に撓み量が許容限度を超えるパレットが収納されているときには、設定許容条件の設定上限高さに代えて、収納対象のパレットを収納予定の収納部に収納したと仮定した状態において、上方の収納部に収納されているパレットを取り出すときに、掬い用基準高さの物品載置体が収納対象のパレットに積まれている物品の上面から設定融通距離を離れる状態となるように、上方の収納部に収納されているパレットの撓み量に基づいて、収納対象のパレットに積み付ける物品の高さを規制する高さ規制条件にて物品を積み付けることになる。
【００６１】
制御手段が、物品が積み付けられた収納対象の前記パレットを、そのパレットについての収納予定の収納部に収納すべく、前記搬送手段の作動を制御することになる。
【００６２】
つまり、撓み量が許容限度を超えるパレットが標準収納部に収納されている場合においては、撓み量が許容限度を超えるパレットを収納する標準収納部の下方の収納部に、物品が積み付けられたパレットを収納すると、上方の標準収納部からのパレットの取出しを適正通り行えなくなることがある。
例えば、標準収納部のうちの空き状態の標準収納部のうちで、上方の標準収納部に撓み量が許容限度を超えるパレットが収納されている標準収納部に対して、パレットを収納する場合において、そのパレットに積み付けられた物品の高さが設定上限高さであるときには、上方の標準収納部に収納されているパレットを取り出すときに、掬い用基準高さの物品載置体と収納対象のパレットに積まれている物品の上面とが設定融通距離を離れない状態となって、上方の標準収納部からのパレットの取出しを適正通り行うことができないものとなる。
【００６３】
しかしながら、標準収納部のうちの空き状態の標準収納部のうちで、上方の標準収納部に撓み量が許容限度を超えるパレットが収納されていない標準収納部は、その標準収納部にパレットを収納しても、上方の標準収納部にはパレットが収納されていないため、上方の標準収納部からのパレットの取出しが行われことがないから、上方の標準収納部からのパレットの取出しに悪影響を与えることがない。
【００６４】
また、標準収納部のうちの空き状態の標準収納部のうちで、上方の標準収納部に撓み量が許容限度を超えるパレットが収納されている標準収納部に対して、パレットを収納する場合において、上方の標準収納部に収納されているパレットを取り出すときに、掬い用基準高さの物品載置体が収納対象のパレットに積まれている物品の上面から設定融通距離を離れている状態となるときには、その収納予定の標準収納部にパレットを収納しても、上方の標準収納部に収納されているパレットを取り出すときに、掬い用基準高さの物品載置体と収納対象のパレットに積まれている物品の上面とが設定融通距離を離れことになるため、上方の標準収納部からのパレットの取出しを適正通り行うことができるものとなる。
【００６５】
このように、本第８特徴構成によれば、標準収納部に収納するパレットに物品を積み付けるにあたり、上方の標準収納部からのパレットの取出しに悪影響を与えることのない状態となるように物品を積み付けるものであるから、標準収納部に収納されている下方側への撓み量が許容限度を超えるパレットを掬い処理によって取出しながら搬出することを、そのパレットが収納されている標準収納部の下方の標準収納部にパレット（物品）が収納されている状態で、適正通り良好に行うことができる。
【００６６】
要するに、本発明の第８特徴構成によれば、上記第７特徴構成の作用効果に加えて、撓み量が許容限度を超えるパレットを掬い処理によって取出しながら搬出することを、下方の標準収納部に収納されるパレット（物品）の影響を受けることなく、適正通り良好に行える物品保管設備を提供できる。
【図面の簡単な説明】
【００６７】
【図１】物品保管設備の概略平面図
【図２】保管棚の側面部
【図３】保管棚の要部を示す一部省略側面図
【図４】積付け部の概略斜視図
【図５】収納部に収納されたパレットとフォークとの関係を示す概略正面図
【図６】制御構成を示すブロック図
【図７】第１実施形態の制御作動を示すフローチャート
【図８】同実施形態の制御作動を示すフローチャート
【図９】第２実施形態の制御作動を示すフローチャート
【図１０】同実施形態の制御作動を示すフローチャート
【図１１】第３実施形態の制御作動を示すフローチャート
【図１２】第４実施形態の制御作動を示すフローチャート
【図１３】同実施形態の制御作動を示すフローチャート
【発明を実施するための形態】
【００６８】
〔第１実施形態〕
次に、本発明の実施形態を図面に基づいて説明する。
図１に示すように、外部から搬入される物品ＢをパレットＰに段積み状態に積み付ける積付け部Ｄ、物品Ｂが積み付けられたパレットＰを載置支持する複数の収納部Ｓが並設された保管棚１、パレットＰから物品Ｂを取り出して外部に搬出する物品搬出部Ｅ、積付け部Ｄにて物品Ｂが積み付けられたパレットＰを収納部Ｓに収納しかつ収納部Ｓに収納したパレットＰを物品搬出部Ｅに搬出すべくパレットＰを搬送する搬送手段Ｆ、及び、空のパレットＰの段積み処理及び段ばらし処理を行うパレット処理部Ｇが装備されて、搬入された物品ＢをパレットＰに段積みした状態で収納部Ｓに収納し、パレットＰに段積みされた物品ＢをパレットＰから取り出して外部に搬出する物品保管設備が構成されている。
【００６９】
保管棚１が、物品出し入れ方向を互いに対向させた状態で、間隔を隔てて左右一対設置され、それら左右一対の保管棚１の横側脇に、左右一対の入出庫コンベヤ２が設置されている。
左右一対の保管棚１の間の床面に設置された走行レール３にて案内されて、保管棚１の横幅方向に沿って移動自在なスタッカークレーンＫが設けられ、また、積付け部Ｄ、入出庫コンベヤ２、物品搬出部Ｅ及びパレット処理部Ｇを経由する走行ライン４に沿って走行自在な搬送台車Ｊが設けられている。
ちなみに、本実施形態においては、積付け部Ｄにて物品Ｂが積み付けられたパレットＰを収納部Ｓに収納しかつ収納部Ｓに収納したパレットＰを物品搬出部Ｅに搬出すべくパレットＰを搬送する搬送手段Ｆが、スタッカークレーンＫと搬送台車Ｊとを主要部として構成されることになる。
【００７０】
図２にも示すように、スタッカークレーンＫは、走行台車５から立設した昇降マスト６に沿って昇降駆動される昇降台７に、収納部Ｓの外方に引退する引退状態と収納部Ｓ内に突出する突出状態とに出退駆動自在なフォーク８を、物品載置体として装備して、そのフォーク８の昇降作動及び出退作動により、パレットＰを収納部Ｓに収納する降ろし処理及び収納部Ｓに収納したパレットＰを取出す掬い処理を行うように構成されている。
【００７１】
つまり、スタッカークレーンＫは、入出庫コンベヤ２に入庫されたパレットＰを収納部Ｓに収納する入庫作業や、収納部Ｓに収納されているパレットＰを入出庫コンベヤ２に出庫する出庫作業を行うことになり、そして、入庫作業を行うときに、上記降ろし処理を行い、また、出庫作業を行うときに、上記掬い処理を行うことになる。
尚、スタッカークレーンＫは、入庫作業において入出庫コンベヤ２からパレットＰを取出すときにも、上記掬い処理と同様にフォーク８を作動させ、出庫作業において入出庫コンベヤ２にパレットＰを降ろすときにも、上記降ろし処理と同様にフォーク８を作動させることになる。
【００７２】
図１及び図２に示すように、保管棚１の収納部Ｓが、突出状態のフォーク８が上下に通過する間隔を隔てる状態で並置された左右一対の支持体１０にて、パレットＰの両端部を載置支持するように構成されている。
つまり、左右一対の保管棚１の夫々は、棚前後方向に間隔を隔てる前後一対の柱９、９からなる柱組を、棚横幅方向に沿って並設し、柱組の夫々に、腕木状の支持体１０を棚横幅方向に向けて片持ち状に突出する状態で上下方向に並べて設けて、棚横幅方向に隣接して並ぶ柱組の間に、収納部Ｓを上下方向に並ぶ状態で形成するように構成されている。
【００７３】
ちなみに、柱組を構成する前後一対の柱９、９は、水平材やラチス材により、一体状態に予め組み付けられており、また、棚横幅方向に並ぶ柱組は、保管棚１の背面部に相当する箇所に設置されている水平材やブレース材等により一体状態に組み付けられることになる。
【００７４】
スタッカークレーンＫに搭載する、若しくは、地上に設置したクレーン制御部ＫＣ（図６参照）が、上述の降ろし処理を行うときには、左右一対の支持体１０よりも高い降ろし用基準高さにてフォーク８を突出状態に突出させ、次に、左右一対の支持体１０よりも低い降ろし用目標高さにフォーク８を下降させ、その後、フォーク８を引退状態に引退させるべく、スタッカークレーンＫの作動を制御し、また、上述の掬い処理を行うときには、降ろし用目標高さに相当する掬い用基準高さにてフォーク８を突出状態に突出させ、次に、降ろし用基準高さに相当する掬い用目標高さにフォーク８を上昇させ、その後、フォーク８を引退状態に引退させるべく、スタッカークレーンＫの作動を制御するように構成されている。
【００７５】
尚、クレーン制御部ＫＣは、走行レール３を走行する走行台車５の走行位置を検出する走行位置検出センサや、昇降台７の昇降位置を検出する昇降位置検出センサ等の各種のセンサ類の検出情報に基づいて、スタッカークレーンＫの作動を制御することになるが、本書においては、その詳細な説明は省略する。
【００７６】
積付け部Ｄは、手押し台車等の搬入車１１にて搬入される物品Ｂを、設定上限高さ以下でかつ設定上限重量以下となる設定許容条件にて、パレットＰに段積み状態に積み付けるように構成されるものであって、図１及び図４に示すように、この積付け部Ｄには、搬送台車Ｊにて搬送されてくる空状態のパレットＰを受け入れかつ物品Ｂが段積み状態に積み付けられたパレットＰを搬送台車Ｊに送り出す一対の積付け作業用コンベヤ１２、及び、搬入車１１にて搬入される物品Ｂを積付け作業用コンベヤ１２に載置されているパレットＰに積み付けるパレタイズロボットＭが備えられている。
【００７７】
搬入される物品Ｂは、搬送用パレットＱに段積み状態に積み付けられており、その搬送用パレットＱには、ＩＣタグ等を用いて構成されて、物品情報を記憶する物品情報記憶部１３が装備され、その物品情報記憶部１３には、物品Ｂの識別情報、物品Ｂの大きさ及び重量を示す物品仕様情報、並びに、搬送用パレットＱに段積みされている物品数を示す物品数情報等の物品情報が記憶されている。
そして、積付け部Ｄには、物品情報記憶部１３に記憶されている物品情報を読取るための可搬式の物品情報読取部１４が装備されており、積付け部Ｄに位置する作業者が、物品情報読取部１４を用いて、物品情報記憶部１３に記憶された物品情報を読取ることにより、積付け管理用コントローラＨＤ（図６参照）が、設定上限高さ以下でかつ設定上限重量以下となる設定許容条件にて、物品ＢをパレットＰに段積み状態に積み付けるようにすべく、パレタイズロボットＭを作動させるように構成されている。
【００７８】
つまり、積付け管理用コントローラＨＤは、搬入される複数種の物品Ｂの夫々について、物品Ｂを設定許容条件にて積み付ける積付けパターンを予め記憶しており、物品情報読取部１４にて読取られた物品情報に基づいて、積付け対象となる物品Ｂの積付けパターンを定めて、パレタイズロボットＭを作動させることになる。
尚、パレタイズロボットＭを作動させるには、搬送用パレットＱに載置されている物品Ｂの位置を検出するセンサ等の種々のセンサ類の情報も利用されるが、それらの具体構成は周知であるため、本書においてはその説明を省略する。
【００７９】
上記積付けパターンは、積み付ける段ごとに物品Ｂを設定個数ずつ水平方向に並べた状態で、設定複数段に積み付けるパターンとして設定されるものであり、そして、最上段においては、設定個数よりも少ない数の物品Ｂが位置することを許容するパターンとして設定されている。
【００８０】
尚、搬入された複数の物品Ｂを積み付けるにあたり、それらを一つのパレットＰに積み付けることができないときには、複数のパレットＰに分散して積み付けることになるが、本実施形態においては、積付け順位が先のパレットＰに対して、設定許容条件を満たす最大数の物品Ｂを積付け、積付け順位が最後のパレットＰには、設定許容条件を満たす最大数よりも少ない数の物品Ｂを積み付けるようにする。
【００８１】
ちなみに、搬送用パレットＱに段積みされた物品ＢをパレットＰに積み替えて、そのパレットＰを収納部Ｓに収納する理由としては、搬送用パレットＱが、パレットＰに較べて強度が弱く、収納部Ｓに収納するのに適さないことや、搬送用パレットＱの大きさが、収納部Ｓに収納するのに適さないこと等を挙げることができる。
【００８２】
一対の積付け作業用コンベヤ１２には、搬送台車Ｊにて、順次空のパレットＰが搬入されるようになっており、一対の積付け作業用コンベヤ１２の一方に載置されているパレットＰに対して物品Ｂの積み付けが終了すると、他方の積付け作業用コンベヤ１２に載置されているパレットＰに対して物品Ｂの積み付けを開始すべく、積付け管理用コントローラＨＤがパレタイズロボットＭの作動を制御するように構成されている。
【００８３】
また、物品Ｂの積付けが終了したパレットＰは、積付け作業用コンベヤ１２から搬送台車Ｊに取り出されて、搬送台車Ｊにて保管棚１の入出庫コンベヤ２に搬送されることになり、そして、パレット処理部Ｇから取り出される空のパレットＰが、搬送台車Ｊにて、パレットＰが取り出された積付け作業用コンベヤ１２に供給されるように構成されている。
【００８４】
ちなみに、本実施形態においては、設定許容条件における設定上限高さが、例えば、１３５０ｍｍで、設定上限重量が、５００Ｋｇである。
また、物品Ｂが、箱状であり、上述の如く、各段において水平方向に沿って設定個数の物品Ｂを縦横に並べる状態で、物品ＢがパレットＰに段積み状態に積み付けられる。
【００８５】
パレタイズロボットＭは、図４に示すように、床面に立設される柱状の基枠１５、その基枠１５に対して、旋回及び昇降駆動自在に装備される屈伸アーム１６、及び、その屈伸アーム１６の先端に装備されて、物品Ｂを吸着保持する物品保持部１７を備えて構成されるものであって、物品Ｂを物品保持部１７にて一つずつ保持しながら、パレットＰに積み付けるように構成されている。
【００８６】
物品搬出部Ｅは、図１に示すように、パレットＰから取り出した物品Ｂを搬出コンベヤ１８にて外部に搬出するように構成されるものであって、保管棚１から出庫されて、搬送台車Ｊにて搬送されてくる物品積付け状態のパレットＰを受け入れかつ物品Ｂが取り出された空状態のパレットＰを搬送台車Ｊに送り出す一対の搬出作業用コンベヤ１９、及び、パレットＰに積み込まれた物品Ｂを搬出コンベヤ１８に移載するデパレタイズロボットＮが備えられている。
【００８７】
一対の搬出作業用コンベヤ１９には、搬送台車Ｊにて、順次物品積付け状態のパレットＰが搬入されるようになっており、一対の搬出作業用コンベヤ１９の一方に載置されているパレットＰからの物品Ｂの取出しが終了すると、他方の搬出作業用コンベヤ１９に載置されているパレットＰからの物品Ｂの取出しを開始すべく、取出し管理用コントローラＨＥ（図６参照）がデパレタイズロボットＮの作動を制御するように構成されている。
【００８８】
また、物品Ｂの取出しが終了した空のパレットＰが、搬出作業用コンベヤ１９から搬送台車Ｊに取り出されて、搬送台車Ｊにてパレット処理部Ｇに搬送され、かつ、保管棚１から出庫された物品積付け状態のパレットＰが、搬送台車Ｊにて、空のパレットＰが取り出された搬出作業用コンベヤ１９に供給されるように構成されている。
【００８９】
デパレタイズロボットＮは、詳述はしないが、パレタイズロボットＭと同様に構成されるものであって、パレットＰに段積みされている物品Ｂを一つずつ保持しながら、搬出コンベヤ１８に取り出すように構成されている。
【００９０】
空のパレットＰの段積み処理及び段ばらし処理を行うパレット処理部Ｇは、図１に示すように、搬送台車Ｊから供給される空のパレットＰを段積み状態にする段積み処理部Ｇｄと、段積み状態の空のパレットＰを保持して、空のパレットＰを一つずつ搬送台車Ｊに供給する段ばらし処理部Ｇｂとを備えるものである。
【００９１】
パレット処理部Ｇにおける段積み処理部Ｇｄには、物品搬出部Ｅにて空状態になったパレットＰが順次供給されることになり、パレットＰの段積み数が設定数段積み数に達すると、段積み状態のパレットＰは、搬送台車Ｊにて保管棚１の入出庫コンベヤ２に供給されて、保管棚１に収納されるように構成されている（図２参照）。
ちなみに、パレットＰの段積み数が設定数段積み数になった状態において、段積みされたパレットＰの高さは、設定許容条件における設定上限高さとパレットＰの厚みとを加えた高さよりも小さな高さとなることはもちろんである。
【００９２】
パレット処理部Ｇにおける段ばらし処理部Ｇｂには、保管棚１に収納された段積み状態のパレットＰが順次供給され、そして、その段ばらし処理部から一枚ずつ取り出される空状態のパレットＰが、搬送台車Ｊにて積付け部Ｄの搬出入コンベヤに搬送されるように構成されている。
【００９３】
尚、物品Ｂの搬入作業と物品Ｂの搬出作業とは、通常、異なる時間帯において、集中的に行われるため、パレット処理部Ｇが装備されることになり、そして、パレット処理部Ｇの段積み処理部Ｇｄ及び段積ばらし処理部Ｇｂの具体構成は、周知であるので、本書においてはその詳細な説明を省略する。
【００９４】
搬送台車Ｊは、図１に示すように、チェーンコンベヤ等を用いて構成されるパレット搬送用コンベヤ２０を上部に備える状態に構成されている。
そして、搬送台車Ｊを、保管棚１における入出庫コンベヤ２に対するパレット搬送位置、積付け部Ｄにおける積付け作業用コンベヤ１２に対するパレット搬送位置、物品搬出部Ｅにおける搬出作業用コンベヤ１９に対するパレット搬送位置、並びに、パレット処理部Ｇにおける段積み処理部Ｇｄに対するパレット搬送位置および段積ばらし処理部Ｇｂに対するパレット搬送位置に走行させながら、パレットＰの搬送を行うべく、台車管理用コントローラＨＪが、搬送台車Ｊに搭載した台車制御部ＪＣに作業指令を指令し、台車制御部ＪＣが、指令された作業指令に基づいて搬送台車Ｊの作動を制御するように構成されている（図６参照）。
【００９５】
すなわち、図６に示すように、台車管理用コントローラＨＪ、保管棚管理用コントローラＨＴ、積付け管理用コントローラＨＤ、取出し管理用コントローラＨＥ、及び、パレット処理部Ｇの運転を管理するパレット処理用コントローラＨＧが、通信自在に接続されており、台車管理用コントローラＨＪが、他のコントローラからの指令情報に基づいて、搬送台車Ｊを作動させることにより、パレットＰの搬送が行われるように構成されている。
【００９６】
積付け部Ｄに対するパレットＰの搬送を例に挙げて説明を加えると、積付け管理用コントローラＨＤは、空のパレットＰに対する物品Ｂの積付けが完了すると、物品Ｂが段積み状態に積み付けられた物品積付け状態のパレットＰの搬出を要求する搬出要求情報を出力することになり、台車管理用コントローラＨＪが、物品積付け状態のパレットＰを保管棚１の入出庫コンベヤ２に搬送すべく、搬送台車Ｊの台車制御部ＪＣに対して搬送指令を指令し、加えて、保管棚管理用コントローラＨＴが、物品積付け状態のパレットＰを保管棚１に収納すべく、スタッカークレーンＫのクレーン制御部ＫＣに対して搬送指令を指令することになる。
【００９７】
また、台車管理用コントローラが、パレット処理部Ｇの段ばらし処理部Ｇｄから空状態のパレットＰを受取って、積付け部ＤにおけるパレットＰが搬出された積付け作業用コンベヤ１２に空状態のパレットＰを供給すべく、搬送台車Ｊの台車制御部ＪＣに対して搬送指令を指令するように構成されている。
【００９８】
ちなみに、本実施形態においては、積付け部Ｄにて物品Ｂが積み付けられたパレットＰを収納部Ｓに収納しかつ収納部Ｓに収納したパレットＰを物品搬出部Ｅに搬出すべくパレットＰを搬送する搬送手段Ｆが、スタッカークレーンＫ及び搬送台車Ｊを主要部として構成されることになるが、その搬送手段Ｆの作動を制御する制御手段Ｈが、台車管理用コントローラＨＪ、保管棚管理用コントローラＨＴ、搬送台車Ｊの台車制御部ＪＣ、及び、スタッカークレーンＫのクレーン制御部ＫＣを主要部として構成されることになる。
【００９９】
本実施形態の基本的な構成は、上述の通りであり、以下、本実施形態の特徴的な構成について説明する。
本実施形態においては、パレットＰとして、保管棚１の収納部Ｓに収納したときの下方側の撓み量が、設定許容条件における設定上限重量（例えば、５００Ｋｇ）で物品Ｂを積付けても、許容限度（例えば、１０ｍｍ）内となる難撓みパレットＰｎと、設定上限重量で物品Ｂを積み付けると、許容限度（例えば、１０ｍｍ）を超える易撓みパレットＰｙとがある。
そして、これら難撓みパレットＰｎと易撓みパレットＰｙとは、パレット処理部Ｇの段積み処理部Ｇｄにて混合された状態で段積みされながら使用されることになる。
【０１００】
尚、本実施形態においては、易撓みパレットＰｙは、３００Ｋｇ以上の物品Ｂを積み付けると、撓み量が許容限度（例えば、１０ｍｍ）超え、そして、４００Ｋｇの物品Ｂを積み付けると、撓み量が２０ｍｍとなり、５００Ｋｇの物品Ｂを積み付けると、撓み量が３０ｍｍとなるものとする。
したがって、以下の記載においては、３００Ｋｇ以上の物品Ｂを積み付けた易撓みパレットＰｙを、撓み超過パレットＰＴと呼称し、そして、３００Ｋｇ以上かつ４００Ｋｇ以下の物品Ｂが積み付けられた易撓みパレットＰｙを、中撓み状態のパレットと呼称し、４００Ｋｇを超えかつ５００Ｋｇ以下の物品Ｂが積み付けられた易撓みパレットＰｙを、大撓み状態のパレットと呼称する。
【０１０１】
このように、パレットＰとして、難撓みパレットＰｎと易撓みパレットＰｙとが存在するため、本実施形態においては、保管棚１の収納部Ｓとして、収納部Ｓに収納したときの下方側への撓み量が許容限度内のパレットＰを収納するための標準収納部ＳＨと、収納部Ｓに収納したときの下方側への撓み量が許容限度を超えるパレットＰを収納するための補助収納部ＳＳとが、スタッカークレーンＫが降ろし処理を行うときの降ろし用目標高さ及び掬い処理を行うときの掬い用基準高さを、標準収納部ＳＨよりも補助収納部ＳＳの方を低く設定できる状態で設けられている。
【０１０２】
つまり、上下方向に並ぶ標準収納部ＳＨの夫々が装備する支持体１０の上下方向の間隔が、収納対象の収納部の下方の収納部に設定上限高さの物品Ｂを積んだパレットＰが収納された状態において、収納対象の収納部に対して降ろし処理及び掬い処理を行うために、フォーク８を、下方側への撓み量が許容限度内となるパレットＰについての降ろし用目標高さ及び掬い用基準高さに位置させたときには、フォーク８が下方の収納部に収納されている物品Ｂの上面から設定融通距離を離れる間隔に定められた状態で、保管棚１が構成れている。
【０１０３】
これに対して、収納部Ｓに収納したときの下方側への撓み量が許容限度を超えるパレットＰを収納するための補助収納部ＳＳが、スタッカークレーンＫが降ろし処理を行うときの降ろし用目標高さ及び掬い処理を行うときの掬い用基準高さを、標準収納部ＳＨよりも補助収納部ＳＳの方を低く設定できる状態に構成されることになる。
【０１０４】
ちなみに、本実施形態においては、補助収納部ＳＳとして、大撓み状態のパレットＰを収納するための第１補助収納部Ｓ１と、中撓み状態のパレットＰを収納するための第２補助収納部Ｓ２とが、スタッカークレーンＫが降ろし処理を行うときの降ろし用目標高さ及び掬い処理を行うときの掬い用基準高さを、第２補助収納部Ｓ２よりも第１補助収納部Ｓ１の方を低く設定できる状態で設けられている。
【０１０５】
上下方向に並ぶ標準収納部ＳＨに装備する支持体１０の隣接するもの同士の間隔について、フォーク８を、降ろし処理のために降ろし用目標高さにて収納部Ｓ内に突出させた状態を例にして説明すると、図５に示すように、上下方向に並ぶ支持体１０の隣接するもの同士の間隔Ｌ１は、収納対象の収納部の下方の収納部に収納されたパレットＰの厚みＬ５、そのパレットＰに段積みされる物品Ｂの高さの最大高さに相当する設定上限高さＬ６、その物品Ｂの上面とフォーク８の下面との間隔である設定融通距離Ｌ３、フォーク８の厚みＬ４、及び、フォーク８の上面と収納対象の収納部Ｓの支持体１０の上面との間の離間距離Ｌ２を加えた値になる。
尚、離間距離Ｌ２は、パレットＰの下方側への撓み量と、掬い用基準高さのフォーク８と支持体１０に載置したパレットＰの下面との間の余裕間隔を加えた値である。
【０１０６】
上述の離間距離Ｌ２は、フォーク８の掬い用基準高さや降ろし用目標高さに相当するものであって、撓み量が許容限度（例えば、１０ｍｍ）のパレットＰについては、例えば、３０ｍｍに設定され、そして、撓み量が許容限度（例えば、１０ｍｍ）を超える撓み超過パレットＰＴについては、撓み量が許容限度（例えば、１０ｍｍ）のパレットＰよりも大きな値が設定されることになる。
本実施形態においては、離間距離Ｌ２は、撓み量が２０ｍｍとなる中撓み状態のパレットについては、例えば、４０ｍｍが設定され、撓み量が３０ｍｍとなる大撓み状態のパレットについては、例えば、５０ｍｍが設定される。
また、設定融通距離Ｌ３は、例えば、２５ｍｍが設定される。
【０１０７】
つまり、スタッカークレーンＫの作動を管理する保管棚管理用コントローラＨＴが、撓み量が許容限度（例えば、１０ｍｍ）のパレットＰ（以下、撓み通常パレットＰＳと呼称）であるか、撓み量が許容限度（例えば、１０ｍｍ）を超える撓み超過パレットＰＴであるか否かを管理し、かつ、撓み超過パレットＰＴである場合には、撓み量が２０ｍｍとなる中撓み状態のパレットであるか、撓み量が３０ｍｍとなる大撓み状態のパレットであるかを管理して、パレットＰの撓み量に応じて掬い処理の掬い用基準高さ及び降ろし処理の降ろし用目標高さを変更させた状態で、スタッカークレーンＫを作動させるように構成されている。
【０１０８】
ちなみに、図５において、Ｌ７は、フォーク８が降ろし用基準高さや掬い用目標高さに位置する状態におけるパレットＰの下面と支持体１０の上面との間の離間距離を示すものであって、フォーク８の降ろし用基準高さや掬い用目標高さに相当することになり、例えば、６０ｍｍに設定されることになる。
【０１０９】
収納部Ｓとして、標準収納部ＳＨ、補助収納部ＳＳの第１補助収納部Ｓ１、及び、補助収納部ＳＳの第２補助収納部Ｓ２を構成することについて説明を加えると、上述の如く、保管棚１は、棚前後方向に並ぶ一対の柱９、９からなる柱組を、棚横幅方向に並べて床面部に立設することによって構成されることになるが、図２及び図３に示すように、各柱組が、柱下方側部分９ｄと柱上方側部分９ｕとを接続して形成されている。
つまり、柱下方側部分９ｄの上端部及び柱上方側部分９ｕの下端部に、フランジ部Ｗが形成されて、それらフランジ部Ｗをボルト連結することにより、設置箇所にて、柱下方側部分９ｄと柱上方側部分９ｕとが接続されるように構成されている。
【０１１０】
そして、柱組に上下方向に並べて設けられる複数の支持体１０のうちの、柱下方側部分９ｄにおける最下方の支持体１０が、柱下方側部分９ｄを床面に設置する際の作業に邪魔にならないようにする等の目的で、柱組の下端（柱下方側部分９ｄの下端）から大きく離れる高さに設置されるため、その最下方の支持体１０に対して、フォーク８を十分に下方に位置させることができることになり、また、柱組に上下方向に並べて設けられる複数の支持体１０のうちの、柱上方側部分９ｕにおける最下方の支持体１０が、柱上方側部分９ｕと柱下方側部分９ｄとを接続する際の作業に邪魔にならないようにする等の目的で、柱上方側部分９ｕの下端から大きく離れる高さに設置されるため、その最下方の支持体１０に対して、フォーク８を十分に下方に位置させることができることになる。
【０１１１】
したがって、本実施形態においては、上下方向に並ぶ収納部Ｓのうちの、柱下方側部分９ｄにおける最下段に位置するもの及び柱上方側部分９ｕにおける最下段に位置するものが、補助収納部ＳＳに構成され、かつ、上下方向に並ぶ収納部Ｓのうちの、柱下方側部分９ｄにおける最下段の収納部Ｓ及び柱上方側部分９ｕにおける最下段の収納部を除いた収納部Ｓが、標準収納部ＳＨに構成されている。
【０１１２】
また、柱下方側部分９ｄにおける最下方の支持体１０の柱下方側部分９ｄの下端からの高さが、柱上方側部分９ｕにおける最下方の支持体１０の柱上方側部分９ｕの下端からの高さよりも高く設置されて、柱下方側部分９ｄにおける最下段に位置する収納部Ｓが、補助収納部ＳＳのうちの第１補助収納部Ｓ１として機能し、かつ、柱上方側部分９ｕにおける最下段に位置する収納部Ｓが、補助収納部ＳＳのうちの第２補助収納部Ｓ２として機能するように構成されている。
【０１１３】
ちなみに、柱組を構成する前後一対の柱９、９における柱下方側部分９ｄの上端側箇所には、隣接する柱組同士を接続する水平方向に沿う接続部材２３が、隣接する柱組の間を上下に分離する状態で設けられている。
従って、補助収納部ＳＳにおける第２補助収納部Ｓ２において、スタッカークレーンＫが降ろし処理を行うときの降ろし用目標高さ及び掬い処理を行うときの掬い用基準高さが、上述の接続部材２３の存在により、制限されることになる。
【０１１４】
パレットＰには、各パレットＰを識別する識別情報、使用開始日を示す開始日情報、難撓みパレットＰｎであるかあるいは易撓みパレットＰｙであるかを示すパレット種別情報等のパレット情報を記憶するパレット情報記憶部２１が設けられ（図４参照）、そして、積付け部Ｄの積付け作業用コンベヤ１２に対応する箇所には、パレットＰのパレット情報記憶部２１に記憶されているパレット情報を読取るパレット情報読取部２２が設けられている。
パレット情報記憶部２１は、ＩＣタグ等により構成され、パレット情報読取部２２が、タグリーダ等により構成されている。
【０１１５】
ちなみに、保管棚１の入出庫コンベヤ２に対応する箇所には、パレットＰのパレット情報記憶部２１に記憶されているパレット情報を読取るパレット情報読取部２２が設けられており、保管棚管理用コントローラＨＴが、入庫されるパレットＰを識別しながら、保管棚１に収納するように構成されている。
【０１１６】
積付け管理用コントローラＨＤは、空のパレットＰに対する物品Ｂの積付けが完了して、上述の搬出要求情報を出力する際に、物品Ｂが段積み状態に積み付けられた物品積付け状態のパレットＰについての、パレットＰの識別情報と収納部Ｓに収納した状態におけるパレットＰの下方側への撓み量を示す撓み情報を、保管棚管理用コントローラＨＴに出力するように構成されている。
パレットＰの撓み量を示す撓み情報は、本実施形態においては、撓み通常パレットＰＳであるか、撓み超過パレットＰＴであるかを示す情報、及び、撓み超過パレットＰＴである場合には、中撓み状態であるか、大撓み状態であるかを示す情報である。
【０１１７】
保管棚管理用コントローラＨＴは、積付け管理用のコントローラから出力される撓み情報に基づいて、下方側の撓み量が許容限度（例えば、１０ｍｍ）を超える撓み超過パレットＰＴ（易撓みパレットＰｙ）を、補助収納部ＳＳに収納し、かつ、下方側の撓み量が許容限度（例えば、１０ｍｍ）を超えない撓み通常パレットＰＳ（難撓みパレットＰｎ及び易撓みパレットＰｙ）を、標準収納部ＳＨに収納すべく、クレーン制御部ＫＣに作動指令を指令するように構成されている。
【０１１８】
さらに、保管棚管理用コントローラＨＴは、下方側の撓み量が許容限度（例えば、１０ｍｍ）を超える撓み超過パレットＰＴ（易撓みパレットＰｙ）を、補助収納部ＳＳに収納するにあたり、積付け管理用のコントローラＨＤから出力される撓み情報に基づいて、撓み超過パレットＰＴが中撓み状態である場合には、補助収納部ＳＳにおける第２補助収納部Ｓ２に収納し、かつ、撓み超過パレットＰＴが大撓み状態である場合には、補助収納部ＳＳにおける第１補助収納部Ｓ１に収納すべく、クレーン制御部ＫＣに作動指令を指令するように構成されている。
【０１１９】
ちなみに、本実施形態においては、保管棚管理用コントローラＨＴは、物品Ｂが段積みされたパレットＰを収納するときに、収納部Ｓのうちの空き状態の収納部Ｓｋのうちで、収納対象とする収納部を、設定規則に基づいて選択するように構成されている。
つまり、下方側の撓み量が許容限度（例えば、１０ｍｍ）を超えない通常撓みパレットＰＳを収納するときには、標準収納部ＳＨのうちの空状態の収納部Ｓｋのうちで、収納対象とする収納部が、設定規則に基づいて選択されるように構成されている。
【０１２０】
この標準収納部ＳＨについての設定規則は、空状態の収納部Ｓｋのうちで、入出庫コンベヤ２に近いものを優先する条件に定められている。つまり、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０１２１】
同様に、撓み超過パレットＰＴとしての大撓み状態のパレットを収納するときには、補助収納部ＳＳとしての第１補助収納部Ｓ１のうちの空状態の収納部Ｓｋのうちで、収納対象とする収納部が、設定規則に基づいて選択されるように構成され、また、撓み超過パレットＰＴとしての中撓み状態のパレットを収納するときには、補助収納部ＳＳとしての第２補助収納部Ｓ２のうちの空状態の収納部Ｓｋのうちで、収納対象とする収納部が、設定規則に基づいて選択するように構成されている。
【０１２２】
この補助収納部ＳＳについての設定規則は、空状態の収納部Ｓｋのうちで、入出庫コンベヤ２に近いものを優先する条件に定められている。つまり、保管棚１の横幅方向に沿って並ぶ第１補助収納部や第２補助収納部のうちの、入出庫コンベヤ２に近い収納部を優先して選択する条件に定められ、且つ、左右の保管棚１に同じ順位の収納部Ｓが存在する場合には、左方の保管棚１を優先する条件に定められている。
【０１２３】
次に、積付け管理用コントローラＨＤが実行する積付け処理について、図７のフローチャートについて説明する。
先ず、物品情報読取部１４の読み取り情報に基づいて、次に積み付け作業を行う物品Ｂの情報（物品Ｂの種類、数量等）を設定する（＃１）。
尚、物品情報読取部１４による物品情報記憶部１３に対する読み取り操作は、作業者によって行われるため、物品情報読取部１４による物品情報記憶部１３に対する読み取り操作が、予め行われた場合には、その内容を記憶しておいて、その記憶しておいた内容を読み出して、次に積み付け作業を行う物品Ｂの情報（物品Ｂの種類、数量等）を設定することになる。
【０１２４】
次に、一対の積付け作業用コンベヤ１２のうちの、今回作業対象となる積付け作業用コンベヤ１２に載置されている空状態のパレットＰのパレット情報記憶部２１の記憶情報を、パレット情報読取部２２にて読み取る（＃２）。
その後、積付け対象のパレットＰに物品Ｂを積み付けるための積付けパターンを設定する（＃３）。
つまり、積付け管理用コントローラＨＤは、搬入される複数種の物品Ｂの夫々について、物品Ｂを設定許容条件にて積み付ける積付けパターンを予め記憶しており、物品情報読取部１４にて読取られた物品情報に基づいて、積付け対象となる物品Ｂの積付けパターンを選択して、積付けパターンを設定することになる。
【０１２５】
積付けパターンは、物品Ｂを各段において縦横に並べる際における、縦方向や横方向の個数を示情報や、段積みする最大数を示す情報、及び、物品Ｂの積み付手順を示す情報を含む形態で作成されている。
ちなみに、物品Ｂの積み付手順を示す情報とは、積付け対象のパレットＰに物品Ｂを載置する位置とその順位を示す情報である。
【０１２６】
＃３にて、積付けパターンを設定した後は、パレタイズロボットＭを作動させて、物品Ｂを積付け対象のパレットＰに順次積み付けるロボット作動処理を実行する（＃４）。
本フローチャートにおいては、このロボット作動処理は、一つの物品Ｂを積付けパターンに沿って積み付ける処理である。
【０１２７】
＃４のロボット作動処理を実行した後は、現在積付け対象としている物品Ｂの全ての積付けが終了したか否かを判別し（＃５）、終了している場合には、通信処理（＃６）を実行した後、＃１の処理に移行することになる。
＃６の通信処理は、積付けが完了したパレットＰの搬出を要求する搬出要求情報や、積付けが完了したパレットＰについての情報、つまり、識別情報、及び、パレットＰの撓み量を示す撓み情報を出力することになる。
尚、撓み量を示す撓み情報は、本実施形態においては、撓み通常パレットＰＳであるか、撓み超過パレットＰＴであるかを示す情報、及び、撓み超過パレットＰＴである場合には、中撓み状態であるか、大撓み状態であるかを示す情報である。
【０１２８】
＃５にて、全ての物品Ｂの積付けが終了していないと判別した場合には、現在積付け対象としているパレットＰが満杯であるか、つまり、一つのパレットＰに対する積付けパターンが終了しているか否かを判別し（＃７）、パレットＰが満杯でないと判別した場合には、＃４のロボット作動処理を実行することになる。
【０１２９】
また、＃７にて、パレットＰが満杯であると判別した場合には、通信処理（＃８）を実行した後、＃２に移行して、次に作業対象となる積付け作業用コンベヤ１２に載置されている空状態のパレットＰのパレット情報記憶部２１の記憶情報を、パレット情報読取部２２にて読み取り、その後、上述した処理を繰り返すことになる。
＃８の通信処理は、＃６の通信処理と同様の処理であって、積付けが完了したパレットＰの搬出を要求する搬出要求情報や、積付けが完了したパレットＰについての情報、つまり、識別情報、及び、パレットＰの撓み量を示す撓み情報を出力することになる。
【０１３０】
尚、物品Ｂが積み付けられたパレットＰは、上述の如く、搬送台車Ｊにて入出庫コンベヤ２に搬送されて、保管棚１に保管されることになり、そして、パレットＰが搬出された積付け作業用コンベヤ１２には、パレット処理部Ｇに保管されている空状態のパレットＰが、搬送台車Ｊにて搬送されてくることは、上述した通りである。
【０１３１】
次に、保管棚管理用コントローラＨＴが入庫作業を行うときの処理について、図８のフローチャートについて説明する。
先ず、パレット情報読取部２２にて、入庫対象のパレットＰのパレット情報記憶部２１の記憶情報を読み取り（＃１１）、その読取情報及び積付け管理用コントローラＨＤから事前に通信されてきている情報に基に基づいて、入庫対象のパレットＰが撓み超過パレットＰＴであるか否かを判別する（＃１２）。
そして、入庫対象のパレットＰが撓み超過パレットＰＴでない場合、つまり、撓み通常パレットＰＳの場合には、標準収納部ＳＨのうちで空き状態の収納部Ｓｋのうちから、設定規則に基づいて、入出庫コンベヤ２に近いものを優先して選択する標準収納部選択処理を実行する（＃１３）。
【０１３２】
＃１２にて、入庫対象のパレットＰが撓み超過パレットＰＴであると判別した場合には、次に、入庫対象の撓みパレットＰが中撓み状態であるか否かを判別し（＃１４）、中撓み状態である場合には、第２補助収納部Ｓ２うちで空き状態の収納部Ｓｋのうちから、設定規則に基づいて、入出庫コンベヤ２に近いものを優先して選択する第２補助収納部選択処理を実行する（＃１５）。
【０１３３】
＃１４にて、入庫対象のパレットＰが中撓み状態でないと判別した場合には、入庫対象のパレットＰが大撓み状態であるため、第１補助収納部Ｓ１のうちで空き状態の収納部Ｓｋのうちから、設定規則に基づいて、入出庫コンベヤ２に近いものを優先して選択する第１補助収納部選択定処理を実行する（＃１６）。
【０１３４】
そして、標準収納部選択処理（＃１３）、第２補助収納部選択処理（＃１５）、あるいは、第１補助収納部選択処理（＃１６）を実行した後は、それらの処理にて選択した収納対象の収納部Ｓに、入庫対象のパレットＰを収納させるべく、クレーン制御部ＫＣに作動を指令する指令処理を実行する（＃１７）。
【０１３５】
以上の通り、本実施形態においては、撓み量が許容限度（例えば、１０ｍｍ）を超える撓み超過パレットＰＴ（易撓みパレットＰｙ）を、補助収納部ＳＳに収納し、そして、撓み量が許容限度（例えば、１０ｍｍ）を超えない撓み通常パレットＰＳを、標準収納部ＳＨに収納するので、保管棚１の収納効率の低下を抑制しながら、撓み量が許容限度（例えば、１０ｍｍ）を超える撓み超過パレットＰＴをも良好に収納できることになる。
【０１３６】
ちなみに、本実施形態においては、補助収納部ＳＳとして、第１補助収納部Ｓ１と第２補助収納部Ｓ２とを存在させて、パレットＰ（易撓みパレットＰｙ）の撓み量が、許容限度（例えば、１０ｍｍ）を超えるときであって、撓み量が中撓み状態である場合には、そのパレットＰ（易撓みパレットＰｙ）を、補助収納部ＳＳにおける第２補助収納部Ｓ２に収納し、かつ、パレットＰ（易撓みパレットＰｙ）の撓み量が、大撓み状態である場合には、そのパレットＰ（易撓みパレットＰｙ）を、補助収納部ＳＳにおける第１補助収納部Ｓ１に収納させる場合を例示したが、補助収納部ＳＳとして、第１補助収納部Ｓ１のみを存在させて、第２補助収納部Ｓ２が存在しない形態で実施するようにしてもよい。
【０１３７】
つまり、上記実施形態においては、上下方向に並ぶ収納部Ｓのうちの、柱上方側部分９ｕにおける最下段に位置するものが、補助収納部ＳＳを構成する場合を例示したが、上下方向に並ぶ収納部Ｓのうちの、柱上方側部分９ｕにおける最下段に位置するものを、標準収納部ＳＨとして設定し、下方側の撓み量が許容限度（例えば、１０ｍｍ）を超える量であるパレットＰ（易撓みパレットＰｙ）を、柱下方側部分９ｄにおける最下段に位置する補助収納部ＳＳに収納する形態で実施してもよい。
【０１３８】
また、上記実施形態においては、保管棚１の高層化を図るために、柱９が柱下方側部分９ｄと柱上方側部分９ｕとに分解されて、柱下方側部分９ｄと柱上方側部分９ｕとが、設置箇所にて、ボルト接続して形成される場合を例示したが、柱９が一体状態に形成される形態で実施してもよい。
【０１３９】
尚、補助収納部ＳＳを設置する箇所は、上下方向に並ぶ収納部Ｓのうちの下方側箇所に限るものではなく、また、その設置数も各種変更できる。
例えば、保管棚１の横幅方向に並ぶ複数の収納空間のうちの一つあるいは複数を、補助収納部形成用空間として、その補助収納部形成空間に、補助収納部ＳＳを上下方向に並ぶ状態で形成してもよい。
【０１４０】
〔第２実施形態〕
次に第２実施形態について説明する。
この第２実施形態は、上記第１実施形態において、補助収納部ＳＳが満杯になったときに、下方側への撓み量が許容限度を超える撓み超過パレットＰＴが形成されないようにする形態を例示するものであって、その他の形態は、上記第１実施形態と同様であるので、以下の説明においては、重複する記載をなくすために、上記第１実施形態と同じ部分についての記載を省略して、上記第１実施形態と異なる部分について詳述する。
【０１４１】
尚、この第２実施形態においては、柱組の間に上下方向に並んで形成される複数の収納部Ｓのうちの最下段のものが、補助収納部ＳＳであり、下方側の撓み量が許容限度（例えば、１０ｍｍ）を超える撓み超過パレットＰＴを、一律に、補助収納部ＳＳに収納するものであるとして説明する。
【０１４２】
この第２実施形態においては、保管棚１が、上下方向に並ぶ標準収納部ＳＨにおける上下に隣接する標準収納部ＳＨの夫々が装備する支持体１０の上下方向の間隔を、収納対象の収納部の下方の収納部に設定上限高さの物品Ｂを積んだパレットＰが収納されている状態において、収納対象の収納部に対して降ろし処理を行うために、フォーク８を、撓み量が許容限度内となるパレットＰについての降ろし用目標高さに位置させたときには、フォーク８が下方の収納部に収納されている物品Ｂの上面から設定融通距離Ｌ３を離れる間隔に定めた状態に構成される点は、上記第１実施形態と同じである。
【０１４３】
そして、この第２実施形態においては、積付け部Ｄが、補助収納部ＳＳの全てにパレットＰが収納されているときに易撓みパレットＰｙに物品Ｂを積み付けるときには、設定上限高さ以下でかつ前記設定上限量よりも低く定めた易撓みパレット用上限重量以下となる易撓みパレット用設定条件にて、物品を積み付けるように構成されている。
そして、制御手段Ｈが、標準収納部ＳＨのうちの空き状態のものを収納対象の標準収納部として、易撓みパレット用設定条件にて物品Ｂが積まれた易撓みパレットＰｙを収納すべく、スタッカークレーンＫの作動を制御するように構成されている。
【０１４４】
説明を加えると、パレット情報読取部２２の読取情報に基づいて、物品Ｂを積み付けるパレットＰが難撓みパレットＰｎであるか、易撓みパレットＰｙであるかを判断して、難撓みパレットＰｎである場合には、上述した設定許容条件、つまり、設定上限高さ以下でかつ設定上限重量以下となる設定許容条件にて物品Ｂを積み付け、そして、易撓みパレットＰｙである場合には、補助収納部ＳＳの全てにパレットＰが収納されていないときには、設定許容条件にて物品Ｂを積み付け、かつ、補助収納部ＳＳの全てにパレットＰが収納されているときには、設定上限高さ以下でかつ易撓みパレット用上限重量以下となる易撓みパレット用設定許容条件にて、物品Ｂを積み付けるように、パレタイズロボットＭを作動させるように構成されている。
【０１４５】
そして、易撓みパレット用上限重量が、易撓みパレットＰｙを収納部Ｓに収納したときの下方側への撓み量を、難撓みパレットＰｎにおける許容限度（例えば、１０ｍｍ）内とする重量（例えば、３００Ｋｇ）に定められている。
したがって、補助収納部ＳＳの全てにパレットＰが収納されているときには、積付け部Ｄにて物品Ｂが積み付けられたパレットＰを収納部Ｓに収納したときの下方側への撓み量は、難撓みパレットＰｎ及び易撓みパレットＰｙのいずれにおいても、許容限度（例えば、１０ｍｍ）内となる。
つまり、補助収納部ＳＳの全てにパレットＰが収納されているときには、積付け部Ｄにて物品Ｂが積み付けられたパレットＰは、全て撓み通常パレットＰＳとなる。
【０１４６】
ちなみに、積付け管理用コントローラＨＤは、保管棚管理用コントローラＨＴとの間での通信により、保管棚１の補助収納部ＳＳのうちの空き状態の数を管理し、その空き状態の数に基づいて、補助収納部ＳＳの全てにパレットＰが収納されているか否かを判別するように構成されている。
尚、保管棚１の補助収納部ＳＳのうちの空き状態の数が１つ残っていても、積付け部Ｄと入出庫コンベヤ２との間の搬送経路中に、補助収納部ＳＳに収納するパレットＰが存在するときには、保管棚１の補助収納部ＳＳの全てに物品Ｂが収納されていると判別するように構成されている。
【０１４７】
次に、積付け管理用コントローラＨＤが実行する積付け処理について、図９のフローチャートについて説明する。
先ず、物品情報読取部１４の読み取り情報に基づいて、次に積み付け作業を行う物品Ｂの情報（物品Ｂの種類、数量等）を設定する（＃２１）。
尚、物品情報読取部１４による物品情報記憶部１３に対する読み取り操作は、作業者によって行われるため、物品情報読取部１４による物品情報記憶部１３に対する読み取り操作が、予め行われた場合には、その内容を記憶しておいて、その記憶しておいた内容を読み出して、次に積み付け作業を行う物品Ｂの情報（物品Ｂの種類、数量等）を設定することになる。
【０１４８】
次に、一対の積付け作業用コンベヤ１２のうちの、今回作業対象となる積付け作業用コンベヤ１２に載置されている空状態のパレットＰのパレット情報記憶部２１の記憶情報を、パレット情報読取部２２にて読み取り（＃２２）、その読取情報に基づいて、積付け対象のパレットＰが難撓みパレットＰｎであるか否かを判別する（＃２３）。
【０１４９】
＃２３にて、積付け対象のパレットＰが難撓みパレットＰｎであると判別した場合には、物品Ｂの積付け条件として、設定許容条件を設定する（＃２４）。
また、＃２３にて、積付け対象のパレットＰが難撓みパレットＰｎでないと判別した場合、つまり、易撓みパレットＰｙであると判別した場合には、補助収納部ＳＳの全てにパレットＰが収納されている満杯状態であるか否かを判別し（＃２５）、満杯状態でないときには、＃２４に移行して、物品Ｂの積付け条件として、設定許容条件を設定し、かつ、満杯状態であるときには、物品Ｂの積付け条件として、易撓みパレット用設定許容条件を設定する（＃２６）。
【０１５０】
＃２４及び＃２６にて、物品Ｂの積付け条件を設定した後は、積付け対象のパレットＰに物品Ｂを積み付けるための積付けパターンを設定する（＃２７）。
つまり、積付け管理用コントローラＨＤは、搬入される複数種の物品Ｂの夫々について、物品Ｂを設定許容条件や易撓みパレット用設定許容条件にて積み付ける積付けパターンを予め記憶しており、物品情報読取部１４にて読取られた物品情報に基づいて、積付け対象となる物品Ｂの積付けパターンを選択して、積付けパターンを設定することになる。
【０１５１】
積付けパターンは、物品Ｂを各段において縦横に並べる際における、縦方向や横方向の個数を示情報や、段積みする最大数を示す情報、及び、物品Ｂの積み付手順を示す情報を含む形態で作成されている。
ちなみに、物品Ｂの積み付手順を示す情報とは、積付け対象のパレットＰに物品Ｂを載置する位置とその順位を示す情報である。
【０１５２】
＃２７にて、積付けパターンを設定した後は、パレタイズロボットＭを作動させて、物品Ｂを積付け対象のパレットＰに順次積み付けるロボット作動処理を実行する（＃２８）。
本フローチャートにおいては、このロボット作動処理は、一つの物品Ｂを積付けパターンに沿って積み付ける処理である。
【０１５３】
＃２８のロボット作動処理を実行した後は、現在積付け対象としている物品Ｂの全ての積付けが終了したか否かを判別し（＃２９）、終了している場合には、通信処理（＃３０）を実行した後、＃２１の処理に移行することになる。
＃３０の通信処理は、積付けが完了したパレットＰの搬出を要求する搬出要求情報や、積付けが完了したパレットＰについての情報、つまり、識別情報、及び、パレットＰの撓み量を示す撓み情報を出力することになる。
尚、撓み量を示す撓み情報は、本実施形態においては、撓み通常パレットＰＳであるか、撓み超過パレットＰＴであるかを示す情報である。
【０１５４】
＃２９にて、全ての物品Ｂの積付けが終了していないと判別した場合には、現在積付け対象としているパレットＰが満杯であるか、つまり、一つのパレットＰに対する積付けパターンが終了しているか否かを判別し（＃３１）、パレットＰが満杯でないと判別した場合には、＃２８のロボット作動処理を実行することになる。
【０１５５】
また、＃３１にて、パレットＰが満杯であると判別した場合には、通信処理（＃３２）を実行した後、＃２２に移行して、次に作業対象となる積付け作業用コンベヤ１２に載置されている空状態のパレットＰのパレット情報記憶部２１の記憶情報を、パレット情報読取部２２にて読み取り、その後、上述した処理を繰り返すことになる。
＃３２の通信処理は、＃３０の通信処理と同様の処理であって、積付けが完了したパレットＰの搬出を要求する搬出要求情報や、積付けが完了したパレットＰについての情報、つまり、識別情報、及び、パレットＰの撓み量を示す撓み情報を出力することになる。
【０１５６】
尚、物品Ｂが積み付けられたパレットＰは、上述の如く、搬送台車Ｊにて入出庫コンベヤ２に搬送されて、保管棚１に保管されることになり、そして、パレットＰが搬出された積付け作業用コンベヤ１２には、パレット処理部Ｇに保管されている空状態のパレットＰが、搬送台車Ｊにて搬送されてくることは、上述した通りである。
【０１５７】
次に、保管棚管理用コントローラＨＴが入庫作業を行うときの処理について、図１０のフローチャートに基づいて説明する。
先ず、パレット情報読取部２２にて、入庫対象のパレットＰのパレット情報記憶部２１の記憶情報を読み取り（＃４１）、次に、補助収納部ＳＳの全てにパレットＰが収納されている満杯状態であるか否かを判別する（＃４２）。
【０１５８】
＃４２にて、補助収納部ＳＳが満杯でないと判別した場合には、＃４１の処理による読取情報及び積付け管理用コントローラＨＤから事前に通信されてきている情報に基づいて、入庫対象のパレットＰが撓み超過パレットＰＴであるか否かを判別する（＃４３）。
入庫対象のパレットＰが撓み超過パレットＰＴでない場合、つまり、撓み通常パレットＰＳの場合には、標準収納部ＳＨのうちで空き状態の収納部Ｓｋのうちから、設定規則に基づいて、入出庫コンベヤ２に近いものを優先して選択する標準収納部選択処理を実行する（＃４４）。
【０１５９】
＃４３にて、入庫対象のパレットＰが撓み超過パレットＰＴであると判別した場合には、補助収納部ＳＳのうちで空き状態の収納部Ｓｋのうちから、設定規則に基づいて、入出庫コンベヤ２に近いものを優先して選択する補助収納部選択処理を実行する（＃４５）。
【０１６０】
＃４２にて、補助収納部ＳＳが満杯であると判別した場合には、入庫されるパレットＰの全てを標準収納部ＳＨに収納することになるので、＃４４の標準収納部選択処理を実行する。
【０１６１】
そして、標準収納部選択処理（＃４４）、あるいは、補助収納部選択処理（＃４５）を実行した後は、それらの処理にて選択した収納対象の収納部Ｓに、入庫対象のパレットＰを収納させるべく、クレーン制御部ＫＣに作動を指令する指令処理を実行する（＃４６）。
【０１６２】
上述の通り、第２実施形態においては、補助収納部ＳＳが満杯になっても、易撓みパレトＰｙが撓み超過パレットＰＴにならないように、易撓みパレットＰｙに物品Ｂを積み付けて、そのパレットＰを保管棚１に保管するものであるから、パレットＰに物品Ｂを積み付けて保管する作業を継続して行えることになる。
【０１６３】
〔第３実施形態〕
次に第３実施形態について説明する。
この第３実施形態は、上記第１実施形態において、補助収納部ＳＳが満杯になったときに、下方側への撓み量が許容限度を超える撓み超過パレットＰＴを、標準収納部ＳＨに収納する形態を例示するものであって、その他の形態は、上記第１実施形態と同様であるので、以下の説明においては、重複する記載をなくすために、上記第１実施形態と同じ部分についての記載を省略して、上記第１実施形態と異なる部分について詳述する。
【０１６４】
尚、この第３実施形態においては、上記第２実施形態と同様に、柱組の間に上下方向に並んで形成される複数の収納部Ｓのうちの最下段のものが、補助収納部ＳＳであり、撓み量が許容限度（例えば、１０ｍｍ）を超える撓み超過パレットＰＴを、一律に、補助収納部ＳＳに収納するものであるとして説明する。
【０１６５】
この第３実施形態においては、保管棚１が、上下方向に並ぶ標準収納部ＳＨにおける上下に隣接する標準収納部ＳＨの夫々が装備する支持体１０の上下方向の間隔を、収納対象の収納部の下方の収納部に設定上限高さの物品Ｂを積んだパレットＰが収納された態において、収納対象の収納部に対して降ろし処理を行うために、フォーク８を、下方側への撓み量が許容限度内となるパレットＰについての降ろし用目標高さに位置させたときには、フォーク８が下方の収納部に収納されている物品Ｂの上面から設定融通距離Ｌ３を離れる間隔に定めた状態に構成される点は、上記第１実施形態と同じである。
【０１６６】
そして、この第３実施形態においては、保管棚管理用コントローラＨＴが、補助収納部ＳＳの全てにパレットＰ（撓み超過パレットＰＴ）が収納されているときに下方側への撓み量が許容限度を超える撓み超過パレットＰＴを収納する場合には、標準収納部ＳＨのうちの空き状態の収納部Ｓｋのうちで、下方の収納部に物品が収納されていない収納部、又は、下方の収納部に物品が収納されている収納部であって、下方の収納部に収納されている物品Ｂの高さと収納対象のパレットＰの撓み量とに基づいて、収納対象のパレットＰを収納するときに、降ろし用目標高さのフォーク８が下方の収納部に収納されている物品Ｂの上面から設定融通距離Ｌ３を離れることが予測される収納部を、収納対象の収納部として選択するように構成されている。
【０１６７】
また、保管棚管理用コントローラＨＴが、パレットＰを標準収納部ＳＨに収納するときに、標準収納部ＳＨのうちの空き状態の収納部Ｓｋのうちで、上方の標準収納部に撓み量が許容限度を超えるパレットが収納されていない標準収納部、又は、上方の標準収納部に撓み量が許容限度を超えるパレットが収納されている標準収納部であって、その標準収納部に収納対象のパレットを収納したと仮定した状態において、上方の標準収納部に収納されているパレットの撓み量と収納対象のパレットに積まれている物品Ｂの高さとに基づいて、上方の標準収納部に収納されているパレットを取り出すときに、掬い用基準高さのフォーク８が収納対象のパレットＰに積まれている物品の上面から設定融通距離Ｌ３を離れることが予測される標準収納部を、収納対象の収納部として選択するように構成されている。
【０１６８】
すなわち、積付け管理用コントローラＨＤは、空のパレットＰに対する物品Ｂの積付けが完了して、上述の搬出要求情報を出力する際に、物品Ｂが段積み状態に積み付けられた物品積付け状態のパレットＰについての、パレットＰの識別情報とパレットＰの撓み量を示す撓み情報とに加えて、パレットＰに段積みした物品Ｂの高さについての高さ情報を、保管棚管理用コントローラＨＴに出力するように構成されている。
尚、撓み量を示す撓み情報は、撓み通常パレットＰＳであるか、撓み超過パレットＰＴであるかを示す情報、及び、撓み超過パレットＰＴである場合には、中撓み状態であるか、大撓み状態であるかを示す情報である。
【０１６９】
保管棚管理用コントローラＨＴは、補助収納部ＳＳの全てにパレットＰ（撓み超過パレットＰＴ）が収納されている場合において、物品Ｂが段積みされたパレットＰを収納するときに、そのパレットＰが撓み超過パレットＰＴである場合には、標準収納部ＳＨのうちの空き状態の収納部Ｓｋのうちで、下方の収納部に物品Ｂが収納されていない標準収納部（以下、第１条件収納部と略称）、又は、下方の収納部Ｓに物品Ｂが収納されている標準収納部であって、下方の収納部に収納されている物品Ｂの高さと収納対象のパレットＰの撓み量とに基づいて、収納対象のパレットＰを収納するときに、降ろし用目標高さのフォーク８が下方の収納部に収納されている物品Ｂの上面から設定融通距離Ｌ３を離れることが予測される標準収納部（以下、第２条件収納部と略称）を、収納対象の収納部として選択するように構成されている。
【０１７０】
また、保管棚管理用コントローラＨＴは、物品Ｂが段積みされたパレットＰを標準収納部ＳＨに収納するときに、標準収納部ＳＨのうちの空き状態の収納部Ｓｋのうちで、上方の標準収納部に撓み量が許容限度を超える撓み超過パレットＰＴが収納されていない標準収納部（以下、第３条件収納部と略称）、又は、上方の標準収納部に撓み量が許容限度を超える撓み超過パレットＰＴが収納されている標準収納部であって、その標準収納部に収納対象のパレットＰを収納したと仮定した状態において、上方の標準収納部に収納されているパレットの撓み量と収納対象のパレットＰに積まれている物品Ｂの高さとに基づいて、上方の標準収納部に収納されているパレットを取り出すときに、掬い用基準高さのフォーク８が収納対象のパレットＰに積まれている物品Ｂの上面から設定融通距離Ｌ３を離れることが予測される収納部（以下、第４条件収納部と略称）を、収納対象の収納部として選択するように構成されている。
【０１７１】
すなわち、本実施形態においては、保管棚管理用コントローラＨＴは、物品Ｂが段積みされたパレットＰを標準収納部ＳＨに収納するときに、標準収納部Ｓのうちの空き状態の収納部Ｓｋのうちから、収納候補とする収納部を、設定規則に基づいて選択するように構成されている。
つまり、撓み量が許容限度（例えば、１０ｍｍ）を超えない撓み通常パレットＰＳを収納するときや、補助収納部ＳＳが満杯のために、全てのパレットＰを標準収納部ＳＨに収納するときには、標準収納部ＳＨのうちの空状態の収納部Ｓｋのうちで、収納候補とする収納部を、設定規則に基づいて選択されるように構成されている。
【０１７２】
この標準収納部ＳＨについての設定規則は、標準収納部ＳＨのうちで空状態の収納部Ｓｋのうちから、入出庫コンベヤ２に近いものを優先する条件に定められている。つまり、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０１７３】
また、補助収納部ＳＳが満杯でないときに下方側の撓み量が許容限度（例えば、１０ｍｍ）を超える撓み超過パレットＰＴを収納するときには、補助収納部ＳＳのうちの空状態の収納部Ｓｋのうちから、収納候補とする収納部が、設定規則に基づいて選択されるように構成されている。
この補助収納部ＳＳについての設定規則は、補助収納部ＳＳのうちの空状態の収納部Ｓｋのうちから、入出庫コンベヤ２に近いものを優先する条件に定められている。つまり、保管棚１の横幅方向に沿って並ぶ補助収納部ＳＳのうちの、入出庫コンベヤ２に近い収納部を優先して選択する条件に定められ、且つ、左右の保管棚１に同じ順位の収納部Ｓが存在する場合には、左方の保管棚１を優先する条件に定められている。
【０１７４】
次に、保管棚管理用コントローラＨＴは、物品Ｂが段積みされたパレットＰを収納するときに、そのパレットＰが撓み超過パレットＰＴでありかつ補助収納部ＳＳが満杯である場合には、上述した収納候補の標準収納部ＳＨが、第１条件収納部あるいは第２条件収納部であり、かつ、第３条件収納部あるいは第４条件収納部であるという第１選択条件を満たすときには、その収納候補の標準収納部ＳＨを、物品Ｂが段積みされたパレットＰを収納する収納対象の収納部として最終的に選択することになり、そして、収納候補の標準収納部ＳＨが第１選択条件を満たさないときには、その収納候補の標準収納部を除いた状態で、設定規則に基づいて収納候補の標準収納部ＳＨを選択し、その選択した収納候補の標準収納部ＳＨが第１選択条件を満たすか否かを判別することを、収納候補の収納部が第１選択条件を満たすまで、繰り返すことになる。
【０１７５】
ちなみに、収納候補の標準収納部ＳＨが、補助収納部ＳＳの上部に隣接するときにおいては、その下方の収納部Ｓが補助収納部ＳＳとなるが、この場合においては、補助収納部ＳＳには、設定上限高さの撓み超過パレットＰが収納されているものであるとして、補助収納部ＳＳの上部に隣接する標準収納部ＳＨに、撓み超過パレットＰＴが収納されないようにする。
【０１７６】
つまり、補助収納部ＳＳの上部に隣接する標準収納部ＳＨに、撓み超過パレットＰＴが収納されていると、その補助収納部ＳＳからパレットＰが取り出されたのち、新たに撓み超過パレットＰＴを補助収納部ＳＳに収納する際に、上部に隣接する標準収納部ＳＨに収納されている撓み超過パレットＰＴの取出しに影響を与えることがないようにするために、物品Ｂの高さが設定上限高さとなる撓み超過パレットＰＴを収納することができない事態が生じることを回避するためである。
【０１７７】
また、保管棚管理用コントローラＨＴは、物品Ｂが段積みされたパレットＰを収納するときに、そのパレットＰが撓み超過パレットＰＴでない場合には、収納候補の標準収納部ＳＨが、第３条件収納部あるいは第４条件収納部であるという第２選択条件を満たすときには、その収納候補の標準収納部ＳＨを、物品Ｂが段積みされたパレットＰを収納する収納対象の収納部として最終的に選択することになり、そして、保管棚管理用コントローラＨＴは、収納候補の標準収納部ＳＨが第２選択条件を満たさないときには、その収納候補の標準収納部を除いた状態で、設定規則に基づいて収納候補の標準収納部ＳＨを選択し、その選択した収納候補の標準収納部ＳＨが第２選択条件を満たすか否かを判別することを、収納候補の標準収納部ＳＨが第２選択条件を満たすまで、繰り返すことになる。
【０１７８】
ちなみに、物品Ｂが段積みされたパレットＰを収納するときに、そのパレットＰが撓み超過パレットＰＴでありかつ補助収納部ＳＳが満杯でない場合には、上述の如く、補助収納部ＳＳのうちの空状態の収納部Ｓｋのうちから、収納候補とする収納部が、設定規則に基づいて選択されて、その選択された収納部が収納対象の収納部として選択される。
【０１７９】
そして、保管棚管理用コントローラＨＴは、物品Ｂが段積みされたパレットＰを収納する収納対象の収納部Ｓを選択すると、物品積付け状態のパレットＰを選択した収納対象の収納部Ｓに収納すべく、スタッカークレーンＫのクレーン制御部ＫＣに対して搬送指令を指令することになる。
【０１８０】
ちなみに、上述の如く、補助収納部ＳＳが満杯であるときに、収納するパレットＰが撓み超過パレットＰＴである場合において、収納候補の標準収納部ＳＨが第２条件収納部であるか否かを判別する際には、下方の収納部Ｓに収納されている物品Ｂの高さと収納対象のパレットＰの撓み量とに基づいて、収納対象のパレットＰを収納するときに、降ろし用目標高さのフォーク８が下方の収納部Ｓに収納されている物品Ｂの上面から設定融通距離Ｌ３を離れるか否かを予測することになるが、本実施形態においては、撓み超過のパレットＰの撓み量としては、中撓み状態が２０ｍｍ、大撓み状態が３０ｍｍであるとして予測することになる。
【０１８１】
そして、フォーク８の降ろし用目標高さに相当する離間距離Ｌ２は、上述の如く、撓み量が２０ｍｍとなる中撓み状態においては、例えば、４０ｍｍが設定され、撓み量が３０ｍｍとなる大撓み状態においては、例えば、５０ｍｍが設定されることになる。
【０１８２】
また、物品Ｂが段積みされたパレットＰを収納する場合において、収納候補の標準収納部ＳＨが第４条件収納部であるか否かを判別する際には、上方の標準収納部ＳＨに収納されているパレットＰの撓み量と収納対象のパレットＰに積まれている物品Ｂの高さとに基づいて、上方に位置する標準収納部ＳＨに収納されているパレットＰを取り出すときに、掬い用基準高さのフォーク８が収納対象のパレットＰに積まれている物品Ｂの上面から設定融通距離Ｌ３を離れるか否かを予測することになるが、本実施形態においては、パレットＰの撓み量としては、中撓み状態が２０ｍｍ、大撓み状態が３０ｍｍであるとして予測することになる。
【０１８３】
そして、フォーク８の掬い用基準高さに相当する離間距離Ｌ２は、上述の如く、撓み量が２０ｍｍとなる中撓み状態の場合には、例えば、４０ｍｍが設定され、撓み量が３０ｍｍとなる大撓み状態の場合には、例えば、５０ｍｍが設定されることになる。
【０１８４】
この第３実施形態において、積付け管理用コントローラＨＤが実行する積付け処理は、第１実施形態における積付け処理と同様であるので、その説明を省略する。
ただし、この第３実施形態においては、図７のフローチャートにおける通信処理（＃６、＃８）において、パレットＰの識別情報とパレットＰの下方側への撓み量を示す撓み情報とに加えて、パレットＰに段積みした物品Ｂの高さについての高さ情報を出力することになる。
【０１８５】
次に、保管棚管理用コントローラＨＴが実行する入庫作業処理について、図１１のフローチャートについて説明する。
先ず、入出庫コンベヤ２に搬入されている物品積付け状態のパレットＰのパレット情報記憶部２１の記憶情報を、パレット情報読取部２２にて読み取り（＃５１）、次に、その読取情報及び積付け管理用コントローラＨＤから事前に通信されてきている情報に基づいて、搬入されたパレットＰが、撓み超過パレットＰＴであるか否かを判別する（＃５２）。
【０１８６】
＃５２にて、撓み超過パレットＰＴであると判別したときには、引き続き、補助収納部ＳＳの全てにパレットＰが収納されている満杯状態であるか否かを判別し（＃５３）、満杯状態でない場合には、補助収納部ＳＳのうちの空き状態の収納部のうちで、収納候補とする収納部を設定規則に基づいて選択する補助収納部選択処理を実行する（＃５４）。
【０１８７】
＃５２にて、撓み超過パレットＰＴでないと判別したときや、＃５３にて、補助収納部ＳＳの全てにパレットＰが収納されている満杯状態であると判別したときには、次に、標準収納部ＳＨのうちの空き状態の収納部Ｓｋのうちで、収納候補とする収納部を、設定規則に基づいて選択する標準収納部選択処理を実行する（＃５５）。
【０１８８】
＃５５の選択処理を実行した後は、入庫するパレットＰが撓み超過パレットＰＴであるか否かを判別し（＃５６）、撓み超過パレットＰＴである場合には、収納候補の標準収納部の下方の収納部に物品Ｂが存在するか否かを判別する（＃５７）。
収納候補の標準収納部ＳＨの下方の収納部Ｓに物品Ｂが存在する場合には、その下方の収納部Ｓに収納されている物品Ｂの高さと収納対象のパレットＰの撓み量とに基づいて、収納対象のパレットＰを収納するときに、降ろし用目標高さのフォーク８が下方の収納部に収納されている物品Ｂの上面から設定融通距離Ｌ３を離れることが予測されるか否かを判別する（＃５８）。
【０１８９】
つまり、＃５６〜＃５８の処理は、入庫する物品積付け状態のパレットＰが撓み超過パレットＰＴである場合において、収納候補の標準収納部ＳＨが、上述した第１条件収納部あるいは第２条件収納部であるかを判別する処理に相当することになる。
そして、＃５８にて、降ろし用目標高さのフォーク８が下方の収納部Ｓに収納されている物品Ｂの上面から設定融通距離Ｌ３を離れていないと判別したとき、つまり、収納候補の標準収納部が、上述した第１条件収納部あるいは第２条件収納部でないときには、＃５５の処理に移行して、先に選択した収納候補の標準収納部の次に優先順位の高い標準収納部を、新たな収納候補の収納部と選択して、以降の処理を繰り返すことになる。
【０１９０】
尚、＃５７及び＃５８の判別処理において、収納候補の標準収納部ＳＨが補助収納部ＳＳの上部に隣接する場合においては、上述の如く、補助収納部ＳＳには、設定上限高さの撓み超過パレットＰが収納されていると仮定して、判別処理を実行する。
【０１９１】
＃５６にて、撓み超過パレットＰＴでないと判別したとき、＃５７にて、収納候補の標準収納部の下方の収納部に物品Ｂが存在しないと判別したとき、及び、＃５８にて、降ろし用目標高さのフォーク８が下方の収納部Ｓに収納されている物品Ｂの上面から設定融通距離Ｌ３を離れていると判別したときには、＃５９の処理に移行する。
【０１９２】
＃５９の処理は、収納候補の標準収納部の上方の標準収納部に撓み超過パレットＰＴが存在するか否かを判別する処理である。
＃５９にて、存在すると判別した場合には、収納候補の標準収納部に収納対象のパレットＰを収納したと仮定した状態において、上方の標準収納部に収納されているパレットの撓み量と収納対象のパレットＰに積まれている物品Ｂの高さとに基づいて、上方の標準収納部に収納されているパレットＰを取り出すときに、掬い用基準高さのフォーク８が収納対象のパレットＰに積まれている物品Ｂの上面から設定融通距離Ｌ３を離れることが予測されるか否かを判別する（＃６０）。
【０１９３】
つまり、＃５９及び＃６０の処理は、収納候補の標準収納部が、上述した第３条件収納部あるいは第４条件収納部であるかを判別する処理に相当することになる。
そして、＃６０にて、掬い用基準高さのフォーク８が収納候補の標準収納部に収納されている物品Ｂの上面から設定融通距離Ｌ３を離れないと判別したとき、つまり、収納候補の標準収納部が、上述した第３条件収納部あるいは第４条件収納部でないときには、＃５５の処理に移行して、先に選択した収納候補の標準収納部の次に優先順位の高い標準収納部を、新たな収納候補の標準収納部として選択して、以降の処理を繰り返すことになる。
【０１９４】
＃５９にて、収納候補の標準収納部の上方の収納部Ｓに撓み超過のパレットが存在しないと判別したとき、及び、＃６０にて、掬い用基準高さのフォーク８が収納候補の標準収納部に収納されている物品Ｂの上面から設定融通距離Ｌ３を離れることが予測されると判別したときは、収納候補の標準収納部を、物品積付け状態のパレットＰを収納する収納対象の収納部として選択して、その収納対象の収納部に物品積付け状態のパレットＰを収納すべく、スタッカークレーンＫのクレーン制御部ＫＣに対して搬送指令を指令する指令処理（＃６１）を実行することになる。
【０１９５】
同様に、＃５４の補助収納部選択処理を実行した後は、収納候補の補助収納部を収納対象の収納部として選択して、＃６１の指令処理により、収納対象の収納部に物品積付け状態のパレットＰを収納すべく、スタッカークレーンＫのクレーン制御部ＫＣに対して搬送指令を指令する。
【０１９６】
ちなみに、保管棚管理用コントローラＨＴは、複数の収納部Ｓについて、パレットＰが収納されているか否かの存否情報、パレットＰが収納されている場合には、その識別情報、撓み量を示す撓み情報、積み付けられた物品Ｂの高さを示す高さ情報等を管理して、上述した処理を実行することになる。
【０１９７】
〔第４実施形態〕
次に第４実施形態について説明する。
この第４実施形態は、上記第１実施形態において、補助収納部ＳＳが満杯になったときに、全てのパレットＰを標準収納部ＳＨに収納する形態を例示するものであって、その他の形態は、上記第１実施形態と同様であるので、以下の説明においては、重複する記載をなくすために、上記第１実施形態と同じ部分についての記載を省略して、上記第１実施形態と異なる部分について詳述する。
【０１９８】
尚、この第４実施形態においては、柱組の間に上下方向に並んで形成される複数の収納部Ｓのうちの最下段のものが、補助収納部ＳＳであり、下方側の撓み量が許容限度（例えば、１０ｍｍ）を超える撓み超過パレットＰＴを、一律に、補助収納部ＳＳに収納するものであるとして説明する。
【０１９９】
この第４実施形態においては、保管棚１が、上下方向に並ぶ標準収納部ＳＨの夫々が装備する支持体１０の上下方向の間隔を、収納対象の標準収納部の下方の収納部に設定上限高さの物品Ｂを積んだパレットＰが収納されている状態において、収納対象の標準収納部に対して降ろし処理及び掬い処理を行うために、フォーク８を、下方側への撓み量が許容限度内となるパレットＰについての降ろし用目標高さに位置させたときには、フォーク８が下方の収納部に収納されている物品Ｂの上面から設定融通距離Ｌ３を離れる間隔に定めた状態に構成される点は、上記第１実施形態と同じである。
【０２００】
そして、この第４実施形態においては、積付け部Ｄが、補助収納部ＳＳの全てにパレットＰが収納されているときに易撓みパレットＰｙに物品Ｂを積み付けるときには、標準収納部ＳＨのうちの空き状態の収納部Ｓｋの一つを収納予定の標準収納部として選択するように構成され、かつ、その収納予定の標準収納部の下方の収納部に物品が収納されている場合には、設定許容条件の設定上限重量以下とする条件に代えて、収納対象の易撓みパレットＰｙを収納予定の収納部に収納するときに、降ろし用目標高さのフォーク８が下方の収納部に収納されている物品Ｂの上面から設定融通距離Ｌ３を離れる状態となるように、下方の収納部に収納されている物品の高さに基づいて、その易撓みパレットＰｙの撓み量を規制する撓み量規制条件にて物品Ｂを積み付けるように構成されている。
【０２０１】
ちなみに、収納予定の標準収納部ＳＨが、補助収納部ＳＳの上部に隣接するときにおいては、その下方の収納部Ｓが補助収納部ＳＳとなるが、この場合においては、補助収納部ＳＳには、設定上限高さの撓み超過パレットＰが収納されているものであるとして、上述の撓み量規制条件にて物品Ｂを積み付けるようにする。
【０２０２】
つまり、補助収納部ＳＳの上部に隣接する標準収納部ＳＨに、撓み超過パレットＰＴが収納されていると、その補助収納部ＳＳからパレットＰが取り出されたのち、新たに撓み超過パレットＰＴを補助収納部ＳＳに収納する際に、上部に隣接する標準収納部ＳＨに収納されている撓み超過パレットＰＴの取出しに影響を与えることがないようにするために、物品Ｂの高さが設定上限高さである撓み超過パレットＰＴを収納することができない事態が生じることを回避するためである。
【０２０３】
そして、制御手段Ｈが、物品Ｂが積み付けられた収納対象の易撓みパレットＰｙを、その易撓みパレットについての収納予定の収納部に収納すべく、スタッカークレーンＫの作動を制御するように構成されている。
【０２０４】
また、この第４実施形態においては、積付け部Ｄが、撓み超過パレットＰＴが標準収納部ＳＨに収納されている場合において標準収納部に収納する収納対象のパレットＰに物品を積み付けるときには、標準収納部ＳＨのうちの空き状態の収納部Ｓｋの一つを収納予定の収納部として選択するように構成されている。
【０２０５】
そして、その収納予定の収納部の上方の収納部に撓み量が許容限度を超える撓み超過パレットＰＴが収納されているときには、設定許容条件の設定上限高さ以下とする条件に代えて、収納対象のパレットＰを収納予定の収納部に収納したと仮定した状態において、上方の収納部に収納されているパレットを取り出すときに、掬い用基準高さのフォーク８が収納対象のパレットＰに積まれている物品Ｂの上面から設定融通距離Ｌ３を離れる状態となるように、上方の収納部に収納されているパレットの撓み量に基づいて、収納対象のパレットＰに積み付ける物品の高さを規制する高さ規制条件にて物品を積み付けるように構成されている。
【０２０６】
制御手段Ｈが、物品Ｂが積み付けられた収納対象のパレットＰを、そのパレットＰについての収納予定の収納部に収納すべく、スタッカークレーンＫの作動を制御するように構成されている。
【０２０７】
説明を加えると、積付け管理用コントローラＨＤは、保管棚１の複数の標準収納部ＳＨ及び複数の補助収納部ＳＳについて、パレットＰが収納されているか否かの存否情報、パレットＰが収納されている場合には、そのパレットの識別情報、撓み量を示す撓み情報、積み付けられた物品Ｂの高さを示す高さ情報等を管理するように構成されている。
また、積付け管理用コントローラＨＤは、保管棚１の補助収納部ＳＳのうちの空き状態の数を管理し、その空き状態の数に基づいて、補助収納部ＳＳの全てにパレットＰが収納されているか否かを判別するように構成されている。
尚、保管棚１の補助収納部ＳＳのうちの空き状態の数が１つ残っていても、積付け部Ｄと入出庫コンベヤ２との間に搬送経路中に、補助収納部ＳＳに収納するパレットＰが存在するときには、保管棚１の補助収納部ＳＳの全てに物品Ｂが収納されていると判別するように構成されている。
【０２０８】
積付け管理用コントローラＨＤは、補助収納部ＳＳの全てにパレットＰが収納された状態において積付け対象のパレットＰに物品Ｂを積み付けるときには、保管棚１の複数の標準収納部ＳＨのうちで空き状態の収納部Ｓｋうちから、物品Ｂが積み付けられたパレットＰを収納する収納予定の標準収納部を、設定規則に基づいて選択するように構成されている。
【０２０９】
この標準収納部ＳＨについての設定規則は、標準収納部ＳＨのうちで空状態の収納部Ｓｋのうちから、入出庫コンベヤ２に近いものを優先する条件に定められている。つまり、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０２１０】
そして、積付け対象のパレットＰに物品Ｂを積み付けるときには、パレット情報読取部２２の読取情報に基づいて、物品Ｂを積み付けるパレットＰが難撓みパレットＰｎであるか、易撓みパレットＰｙであるかを判断する。
積付け対象のパレットＰが、易撓みパレットＰｙであり、かつ、収納予定の標準収納部の下方の収納部に物品Ｂが収納されているときには、設定許容条件の設定上限重量以下とする条件に代えて、収納対象の易撓みパレットＰｙを収納予定の収納部に収納するときに、降ろし用目標高さのフォーク８が下方の収納部に収納されている物品Ｂの上面から設定融通距離Ｌ３を離れる状態となるように、下方の収納部に収納されている物品Ｂの高さに基づいて、その易撓みパレットＰｙの撓み量を規制する撓み量規制条件にて物品Ｂを積み付けるように、パレタイズロボットＭを作動させるように構成されている。
【０２１１】
ちなみに、収納予定の標準収納部ＳＨが、補助収納部ＳＳの上部に隣接するときにおいては、上述の如く、その下方の補助収納部ＳＳには、設定上限高さの撓み超過パレットＰが収納されているものであるとして、上述の撓み量規制条件にて物品Ｂを積み付けるようにする
【０２１２】
尚、下方の収納部Ｓに収納されている物品Ｂの高さと収納対象のパレットＰの撓み量とに基づいて、収納対象のパレットＰを収納するときに、降ろし用目標高さのフォーク８が下方の収納部Ｓに収納されている物品Ｂの上面から設定融通距離Ｌ３を離れる状態に物品Ｂを積み込む際に、本実施形態においては、撓み超過のパレットＰの撓み量としては、中撓み状態が２０ｍｍ、大撓み状態が３０ｍｍであるとする。
【０２１３】
そして、フォーク８の降ろし用目標高さに相当する離間距離Ｌ２は、上述の如く、撓み量が２０ｍｍとなる中撓み状態においては、例えば、４０ｍｍが設定され、撓み量が３０ｍｍとなる大撓み状態においては、例えば、５０ｍｍが設定されることになる。
【０２１４】
また、撓み超過パレットＰＴが標準収納部ＳＨに収納されている場合において、積付け対象のパレットＰに物品Ｂを積み付けるときに、収納予定の標準収納部の上方の標準収納部に超過パレットＰＴが収納されているときには、設定許容条件の設定上限高さ以下とする条件に代えて、収納対象のパレットを収納予定の標準収納部に収納したと仮定した状態において、上方の標準収納部に収納されているパレットを取り出すときに、掬い用基準高さのフォーク８が収納対象のパレットＰに積まれている物品Ｂの上面から設定融通距離Ｌ３を離れる状態となるように、上方の標準収納部に収納されているパレットの撓み量に基づいて、収納対象のパレットＰに積み付ける物品の高さを規制する高さ規制条件にて物品を積み付けるように、パレタイズロボットＭを作動させるように構成されている。
【０２１５】
尚、上方の標準収納部に収納されているパレットＰの撓み量と収納対象のパレットＰに積まれている物品Ｂの高さとに基づいて、上方の標準収納部に収納されているパレットＰを取り出すときに、掬い用基準高さのフォーク８が収納対象のパレットＰに積まれている物品Ｂの上面から設定融通距離Ｌ３を離れる状態となるように物品Ｂを積み込む際に、本実施形態においては、パレットＰの撓み量としては、中撓み状態が２０ｍｍ、大撓み状態が３０ｍｍであるとする。
【０２１６】
そして、フォーク８の掬い用基準高さに相当する離間距離Ｌ２は、上述の如く、撓み量が２０ｍｍとなる中撓み状態の場合には、例えば、４０ｍｍが設定され、撓み量が３０ｍｍとなる大撓み状態の場合には、例えば、５０ｍｍが設定されることになる。
【０２１７】
さらに、積付け管理用コントローラＨＤは、パレットＰに対する物品Ｂの積付けが完了して、上述の搬出要求情報を出力する際には、物品積付け状態のパレットＰについての、識別情報、撓み量を示す撓み情報、及び、パレットＰに段積みした物品Ｂの高さについての高さ情報、並びに、収納部Ｓのうちで、物品積付け状態のパレットＰを収納する収納対象の収納部を指定する収納部指定情報を、保管棚管理用コントローラＨＴに出力するように構成されている。
尚、パレットＰの撓み量を示す撓み情報は、本実施形態においては、撓み通常パレットＰＳであるか、撓み超過パレットＰＴであるかを示す情報、及び、撓み超過パレットＰＴである場合には、中撓み状態であるか、大撓み状態であるかを示す情報である。
【０２１８】
保管棚管理用コントローラＨＴは、補助収納部ＳＳの全てにパレットＰが収納されている状態において、物品Ｂが段積みされたパレットＰを収納するときには、積付け管理用コントローラＨＤからの収納部指定情報に基づいて、指定された収納対象の収納部に、物品積付け状態のパレットＰを収納すべく、クレーン制御部ＫＣに作動指令を指令するように構成されている。
【０２１９】
また、保管棚管理用コントローラＨＴは、補助収納部ＳＳの全てにパレットＰが収納されていない状態において、物品Ｂが段積みされたパレットＰを収納するときには、第２実施形態と同様に、下方側の撓み量が許容限度（例えば、１０ｍｍ）を超える撓み超過パレットＰＴを補助収納部ＳＳに収納し、かつ、下方側の撓み量が許容限度（例えば、１０ｍｍ）を超えない撓み通常パレットＰＳを標準収納部ＳＨに収納すべく、クレーン制御部ＫＣに作動指令を指令するように構成されている。
【０２２０】
ちなみに、本実施形態においても、保管棚管理用コントローラＨＴは、物品Ｂが段積みされたパレットＰを収納するときに、撓み通常パレットＰＳを収納するときには、標準収納部ＳＨのうちの空状態の収納部Ｓｋのうちで、収納対象とする収納部を、設定規則に基づいて選択されるように構成されている。
【０２２１】
この標準収納部ＳＨについての設定規則は、空状態の収納部Ｓｋのうちで、入出庫コンベヤ２に近いものを優先する条件に定められている。つまり、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０２２２】
同様に、撓み超過パレットＰＴを収納するときには、補助収納部ＳＳのうちの空状態の収納部Ｓｋのうちで、収納対象とする収納部を、設定規則に基づいて選択されるように構成されている。
この補助収納部ＳＳについての設定規則は、空状態の収納部Ｓｋのうちで、入出庫コンベヤ２に近いものを優先する条件に定められている。つまり、保管棚１の横幅方向に沿って並ぶ補助収納部ＳＳのうちの、入出庫コンベヤ２に近い収納部を優先して選択する条件に定められ、且つ、左右の保管棚１に同じ順位の収納部Ｓが存在する場合には、左方の保管棚１を優先する条件に定められている。
【０２２３】
また、保管棚管理用コントローラＨＴは、スタッカークレーンＫのクレーン制御部ＫＣに対して搬送指令を指令する際には、搬送対象のパレットＰの撓み量を示す撓み情報に基づいて、搬送対象のパレットＰの撓み量に合わせた掬い用基準高さ及び降ろし用目標高さを指令するように構成されている。
【０２２４】
次に、積付け管理用コントローラＨＤが実行する積付け処理について、図１２のフローチャートについて説明する。
先ず、物品情報読取部１４の読み取り情報に基づいて、次に積み付け作業を行う物品Ｂの情報（物品Ｂの種類、数量等）を設定する（＃７１）。
尚、物品情報読取部１４による物品情報記憶部１３に対する読み取り操作は、作業者によって行われるため、物品情報読取部１４による物品情報記憶部１３に対する読み取り操作が、予め行われた場合には、その内容を記憶しておいて、その記憶しておいた内容を読み出して、次に積み付け作業を行う物品Ｂの情報（物品Ｂの種類、数量等）を設定することになる。
【０２２５】
引き続き、一対の積付け作業用コンベヤ１２のうちの、今回作業対象となる積付け作業用コンベヤ１２に載置されている空状態の積付け対象のパレットＰのパレット情報記憶部２１の記憶情報を、パレット情報読取部２２にて読み取る処理を実行する（＃７２）。
【０２２６】
次に、補助収納部ＳＳの全てにパレットＰが収納されている満杯状態であるか否かを判別する（＃７３）。
満杯状態であると判別した場合には、標準収納部ＳＨのうちの空き状態の収納部Ｓｋのうちで、収納予定とする標準収納部を、設定規則に基づいて選択する標準収納部選択処理を実行する（＃７４）。
標準収納部選択処理の設定規則は、上述の如く、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０２２７】
次に、＃７２の処理の読取情報に基づいて、積付け対象のパレットＰが易撓みパレットＰｙであるか否かを判別する（＃７５）。
＃７５にて、易撓みパレットＰｙであると判別した場合には、選択されている収納予定の標準収納部の下方の収納部Ｓに物品Ｂが存在しているか否かを判別し（＃７６）、存在する場合には、上述の撓み規制条件を設定するための撓み規制フラグをＯＮにする（＃７７）。
尚、収納予定の標準収納部ＳＨが、補助収納部ＳＳの上部に隣接するときにおいては、上述の如く、その下方の補助収納部ＳＳには、設定上限高さの撓み超過パレットＰが収納されているものであるとして、撓み規制フラグをＯＮにする。
【０２２８】
＃７５にて、易撓みパレットＰｙでない、つまり、難撓みパレットＰｎであると判別した場合、＃７６にて、下方の収納部Ｓに物品Ｂが存在しないと判別した場合、及び、＃７７にて、規制フラグをＯＮにする処理を実行した後は、＃７８の処理に移行する。
＃７８の処理は、標準収納部ＳＨに撓み超過パレットＰＴが存在するか否かを判別する処理であり、存在する場合には、収納予定の標準収納部の上方の標準収納部に撓み超過パレットＰＴが存在するか否かを判別し（＃７９）、存在する場合には、上述の高さ規制条件を設定するための高さ規制フラグをＯＮにする（＃８０）。
【０２２９】
＃７３の処理にて、補助収納部ＳＳが満杯でないと判別したときには、引き続き、標準収納部ＳＨに撓み超過パレットＰＴが存在するか否かを判別し（＃８７）、存在すると判別した場合には、次に、積付け対象のパレットＰが難撓みパレットＰｎであるか否かを判別する（＃８８）。
そして、難撓みパレットＰｎであると判別した場合には、標準収納部ＳＨのうちの空き状態の収納部Ｓｋのうちで、収納予定とする標準収納部を、設定規則に基づいて選択する標準収納部選択処理を実行する（＃８９）。この＃８９の処理は、＃７４の処理と同様の処理である。
【０２３０】
＃８９の処理を実行したのちは、＃７９に移行して、収納予定の収納部の上方の収納部Ｓに撓み超過パレットＰＴが存在するか否かを判別し、存在する場合には、上述の高さ規制条件を設定するための高さ規制フラグをＯＮにする（＃８０）。
【０２３１】
＃８８にて、難撓みパレットＰｎでないと判別したときには、積付け対象となる易撓みパレットＰｙを一律に補助収納部ＳＳに収納するものであるとして、補助収納部ＳＳのうちの空き状態の収納部Ｓｋのうちで、収納予定とする補助収納部を、設定規則に基づいて選択する補助収納部選択処理を実行する（＃９０）。
【０２３２】
＃７８にて、標準収納部ＳＨに撓み超過パレットＰＴが存在しないと判別した場合や、＃７９にて、上方の収納部Ｓに撓み超過パレットＰＴが存在しないと判別した場合、及び、＃８０にて、高さ規制フラグをＯＮにする処理を実行した後、並びに、＃８７にて、標準収納部ＳＨに撓み超過パレットＰＴが存在しないと判別した場合や、＃９０にて、収納予定とする補助収納部ＳＳを選択した後は、積付け対象のパレットＰに物品Ｂを積み付けるための積付けパターンを設定する処理を実行する（＃８１）。
【０２３３】
つまり、積付け管理用コントローラＨＤは、搬入される複数種の物品Ｂの夫々について、物品Ｂを設定許容条件にて積付ける積付けパターンを予め記憶しており、物品情報読取部１４にて読取られた物品情報に基づいて、積付け対象となる物品Ｂの積付けパターンを選択して、積付けパターンを設定することになる。
積付けパターンは、物品Ｂを各段において縦横に並べる際における、縦方向や横方向の個数を示情報や、段積みする最大数を示す情報、及び、物品Ｂの積み付手順を示す情報を含む形態で作成されている。
ちなみに、物品Ｂの積み付手順を示す情報とは、積付け対象のパレットＰに物品Ｂを載置する位置とその順位を示す情報である。
【０２３４】
このように、積付け管理用コントローラＨＤは、基本的には、物品Ｂを設定許容条件にて積付ける積付けパターンを設定することになるが、撓み規制フラグがＯＮである場合には、撓み規制条件に基づいて、易撓みパレットＰｙの撓み量を規制すべく、物品Ｂの積み付け数を制限することになり、また、高さ規制フラグがＯＮである場合には、高さ規制条件に基づいて、パレットＰに積み付ける物品Ｂの高さを規制すべく、物品Ｂの積み付け数を制限することになる。
【０２３５】
ちなみに、積付け管理用コントローラＨＤは、収納予定の標準収納部ＳＨが、補助収納部ＳＳの上部に隣接するときにおいては、上述の如く、その下方の補助収納部ＳＳには、設定上限高さの撓み超過パレットＰが収納されているものであるとして、上述の撓み量規制条件にて物品Ｂを積み付けるようにする。
【０２３６】
＃８１にて、積付けパターンを設定した後は、パレタイズロボットＭを作動させて、物品Ｂを積付け対象のパレットＰに順次積み付けるロボット作動処理を実行することになる（＃８２）。
本フローチャートにおいては、このロボット作動処理は、一つの物品Ｂを積付けパターンに沿って積み付ける処理である。
【０２３７】
＃８２のロボット作動処理を実行した後は、現在積付け対象としている物品Ｂの全ての積付けが終了したか否かを判別し（＃８３）、終了している場合には、通信処理（＃８４）を実行した後、＃７１の処理に移行することになる。
＃８４の通信処理は、積付けが完了したパレットＰの搬出を要求する搬出要求情報や、積付けが完了したパレットＰについての情報、つまり、識別情報、積み付けた物品Ｂの高さを示す高さ情報、及び、パレットＰの撓み量を示す撓み情報、並びに、補助収納部ＳＳが満杯状態のときや、標準収納部ＳＨに撓み超過パレットＰＴが収納されているときには、物品積付け状態のパレットＰを収納する収納対象の収納部を指定する収納部指定情報を出力することになる。
尚、撓み量を示す撓み情報は、撓み通常パレットＰＳであるか、撓み超過パレットＰＴであるかを示す情報、及び、撓み超過パレットＰＴである場合には、中撓み状態であるか、大撓み状態であるかを示す情報である。
【０２３８】
＃８３にて、全ての物品Ｂの積付けが終了していないと判別した場合には、現在積付け対象としているパレットＰが満杯であるか、つまり、一つのパレットＰに対する積付けパターンが終了しているか否かを判別し（＃８５）、パレットＰが満杯でないと判別した場合には、＃８２のロボット作動処理を実行することになる。
【０２３９】
また、＃８５にて、パレットＰが満杯であると判別した場合には、通信処理（＃８６）を実行した後、＃７２に移行して、次に作業対象となる積付け作業用コンベヤ１２に載置されている空状態のパレットＰのパレット情報記憶部２１の記憶情報を、パレット情報読取部２２にて読み取り、その後、上述した処理を繰り返すことになる。
＃８６の通信処理は、＃８４の通信処理と同様の処理であって、積付けが完了したパレットＰの搬出を要求する搬出要求情報や、積付けが完了したパレットＰについての情報、つまり、識別情報、積み付けた物品Ｂの高さを示す高さ情報、及び、パレットＰの撓み量を示す撓み情報、並びに、補助収納部ＳＳが満杯状態のときや、標準収納部ＳＨに撓み超過パレットＰＴが収納されているときには、物品積付け状態のパレットＰを収納する収納対象の収納部を指定する収納部指定情報を出力することになる。
【０２４０】
尚、物品Ｂが積み付けられたパレットＰは、上述の如く、搬送台車Ｊにて入出庫コンベヤ２に搬送されて、保管棚１に保管されることになり、そして、パレットＰが搬出された積付け作業用コンベヤ１２には、パレット処理部Ｇに保管されている空状態のパレットＰが、搬送台車Ｊにて搬送されてくることは、上述した通りである。
【０２４１】
次に、保管棚管理用コントローラＨＴが入庫作業を行うときの処理について、図１３のフローチャートに基づいて説明する。
先ず、パレット情報読取部２２にて、入庫対象のパレットＰのパレット情報記憶部２１の記憶情報を読み取り（＃９１）、次に、補助収納部ＳＳの全てにパレットＰが収納されている満杯状態であるか否かを判別する（＃９２）。
【０２４２】
＃９２にて、補助収納部ＳＳが満杯でないと判別した場合には、引き続き、標準収納部ＳＨに撓み超過パレットＰＴが存在するか否かを判別する（＃９３）。
＃９３にて、超過パレットＰＴが存在しないと判別した場合には、＃９１の処理による読取情報及び積付け管理用コントローラＨＤから事前に通信されてきている情報に基づいて、入庫対象のパレットＰが撓み超過パレットＰＴであるか否かを判別する（＃９３）。
入庫対象のパレットＰが撓み超過パレットＰＴでない場合、つまり、撓み通常パレットＰＳの場合には、標準収納部ＳＨのうちで空き状態の収納部Ｓｋのうちから、設定規則に基づいて、入出庫コンベヤ２に近いものを優先して選択する標準収納部選択処理を実行する（＃９５）。
【０２４３】
この設定規則は、上述の如く、保管棚１の横幅方向に沿って並ぶ複数列の収納空間のうちでは、入出庫コンベヤ２に近い列の収納空間を優先して選択し、かつ、同じ列の収納空間に位置する収納部Ｓでは、下方に位置するものを優先して選択する条件に定められている。尚、左右の保管棚１に同じ順位の収納部Ｓが存在する場合には、左方の保管棚１を優先する条件に定められている。
【０２４４】
＃９４にて、入庫対象のパレットＰが撓み超過パレットＰＴであると判別した場合には、補助収納部ＳＳのうちで空き状態の収納部Ｓｋのうちから、設定規則に基づいて、入出庫コンベヤ２に近いものを優先して選択する補助収納部選択処理を実行する（＃９６）。
【０２４５】
この設定規則は、空状態の収納部Ｓｋのうちで、入出庫コンベヤ２に近いものを優先する条件に定められている。つまり、保管棚１の横幅方向に沿って並ぶ補助収納部ＳＳのうちの、入出庫コンベヤ２に近い収納部を優先して選択する条件に定められ、且つ、左右の保管棚１に同じ順位の収納部Ｓが存在する場合には、左方の保管棚１を優先する条件に定められている。
【０２４６】
＃９２にて、補助収納部ＳＳが満杯であると判別した場合や、＃９３にて、標準収納部ＳＨに撓み超過パレットＰＴが存在すると判別した場合には、積付け管理用コントローラＨＤからの収納対象の収納部を指定する収納部指定情報に基づいて、収納対象の収納部を設定する収納部設定処理を実行する（＃９７）。
【０２４７】
そして、標準収納部選択処理（＃９５）、補助収納部選択処理（＃９６）、あるいは、収納部設定処理（＃９７）を実行した後は、それらの処理にて定めた収納対象の収納部Ｓに、入庫対象のパレットＰを収納させるべく、クレーン制御部ＫＣに作動を指令する指令処理を実行する（＃９８）。
【０２４８】
ちなみに、この第４実施形態においては、標準収納部ＳＨに撓み超過パレットＰＴが存在する場合においては、上述の如く、物品Ｂが積み付けられた易撓みパレットＰｙの全てが、撓み量の大きさに拘わらず、補助収納部ＳＳに収納されるものとなるが、物品Ｂの搬出作業が集中的に行われると、標準収納部ＳＨに収納されている撓み超過パレットＰＴが出庫されることになるため、物品Ｂが積み付けられた易撓みパレットＰｙの全てが補助収納部ＳＳに収納される状態とは、物品の搬入作業が集中的に行われる時間帯のうちの最後に近い時間帯に一時的に現れるものであり、物品Ｂの収納効率を大きく低下させることはない。
【０２４９】
〔別実施形態〕
次に、別実施形態を列記する。
（１）上記第１〜第４実施形態では、積付け部が、パレタイズロボットを用いて、物品を積み付けるように構成される場合を例示したが、積付け部において、作業者が物品を積み付ける形態で実施してもよい。
この場合、作業者に対して、積付けパターンを示す情報を表示する表示手段を、積付け部に装備するとよい。
【０２５０】
（２）上記第１〜第４実施形態では、積付け部にて物品を積み付けたパレットが、搬送台車にて保管棚の入出庫コンベヤに搬送されて、保管棚に保管される場合を例示したが、積付け部が、入出庫コンベヤに載置されているパレットに対して物品を積み付けるようにする形態で実施してもよい。
この場合、積付け部にて物品が積み付けられたパレットを収納部に収納しかつ収納部に収納したパレットを物品搬出部Ｅに搬出すべくパレットを搬送する搬送手段が、スタッカークレーンにて構成されることになる。
【０２５１】
（３）上記第１〜第４実施形態では、易撓みパレットの撓み量を、許容限度内となる場合、中撓み状態となる場合、及び、大撓み状態となる場合との３段階に管理する場合を例示したが、易撓みパレットの撓み量を、３段階以上の多数段階や無段階に管理して、それに合わせて、掬い用基準高さや降ろし用目標高さを設定する形態で実施してもよく、また、易撓みパレットの撓み量を、許容限度内となる場合と撓み状態となる場合（一律に、大撓み状態であるとする）との２段階に管理して、それに合わせて、掬い用基準高さや降ろし用目標高さを設定する形態で実施してもよい。
【０２５２】
（４）上記１〜第４実施形態では、積付け部に、屈伸アームを装備したパレタイズロボットを備えさせる場合を例示したが、縦横に走行する走行台車を天井側に備えて、その走行台車に対して物品保持部を昇降自在に備えた物品移載ロボットを、積付け部に装備して、物品の積み付けを行わせるようにする等、積付け部に装備する物品積付け装置としては、種々の形態のものを使用できる。
【０２５３】
（５）上記１〜第４実施形態では、棚横幅方向に並ぶ柱組に支持体を装備する形態で保管棚を構成する場合を例示したが、保管棚の構成は各種の構成を適用できるものであって、要は、収納部が、左右一対の支持体にて、パレットの両端部を載置支持するように構成されていればよい。
【０２５４】
（６）上記の第４実施形態においては、積付け部の積付け管理用コントローラが、標準収納部のうちの空の収納部のうちで収納対象とする標準収納部を、設定規則に基づいて選択する場合を例示したが、保管棚管理用コントローラが、空の収納部のうちで収容対象とする標準収納部を、設定規則に基づいて選択し、その選択した標準収納部についての情報を、積付け部の積付け管理用コントローラに通信する形態で実施してもよい。
【０２５５】
（７）上記第３実施形態においては、標準収納部における空の収納部の全てのうちで収納候補とする標準収納部を、設定規則に基づいて選択し、その収納候補の標準収納部が、収納部としての選択条件を満たすか否かを判別する場合を例示したが、先ず、標準収納部における空の収納部のうちの、下方の収納部に物品が収納されていない標準収納部でかつ上方の標準収納部に撓み超過パレットが存在しない標準収納部を優先的に選択し、その優先的に選択した標準収納部の一つを設定規則にて選択して、物品積付け状態のパレットを収納するようにし、そして、空の収納部のうちに、下方の収納部に物品が収納されていない標準収納部でかつ上方の標準収納部に撓み超過パレットが存在しない標準収納部がなくなった後において、空の標準収納部のうちで収納候補とする標準収納部を、設定規則に基づいて選択し、その収納候補の標準収納部が、収納部としての選択条件を満たすか否かを判別する形態で実施してもよい。
【０２５６】
（８）上記第４実施形態においては、標準収納部における空の収納部の全てのうちで収納対象とする標準収納部を、設定規則に基づいて選択し、その収納対象の標準収納部が、撓み規制条件や高さ規制条件が必要な場合には、その条件にて物品の積付けを行う場合を例示したが、先ず、空の標準収納部のうちの、下方の収納部に物品が収納されていない標準収納部でかつ上方の標準収納部に撓み超過パレットが存在しない標準収納部を優先的に選択し、その優先的に選択した標準収納部の一つを設定規則にて選択して、その優先的に選択した標準収納部に収納するパレットであるとして、設定許容条件にて物品を積み付けるようにし、そして、空の標準収納部のうちに、下方の収納部に物品が収納されていない標準収納部でかつ上方の標準収納部に撓み超過パレットが存在しない標準収納部がなくなった後において、空の標準収納部のうちで収納対象とする標準収納部を、設定規則に基づいて選択し、その収納対象の標準収納部が、撓み規制条件や高さ規制条件が必要な場合には、その条件にて物品の積付けを行う形態で実施してもよい。
【０２５７】
（９）上記第３実施形態及び第４実施形態においては、標準収納部についての設定規則として、保管棚の横幅方向に沿って並ぶ複数列の収納空間のうちでは、入出庫コンベヤに近い列の収納空間を優先して選択し、かつ、同じ列の収納空間に位置する収納部では、下方に位置するものを優先して選択する条件に定める場合を例示したが、下方に位置する収納部ほど優先して選択し、かつ、同じ高さの収納部では、入出庫コンベヤに近い列の収納空間に位置するものを優先して選択する条件に定めるようにする等、設定規則は、種々の条件に定めることができるものである。
【０２５８】
（１０）上記１〜第４実施形態においては、易撓みパレットの撓み量を判定するにあたり、それに積み付ける重量に基づいて撓み量を判定するようにしたが、易撓みパレットの撓み量が使用に伴って増加する場合においては、積み付ける重量と使用時間とに基づいて、易撓みパレットの撓み量を判定する形態で実施してもよい。
【０２５９】
（１１）上記第４実施形態においては、補助収納部が満杯ではないものの、撓み量が許容限度を超えるパレットが標準収納部に収納されている場合においては、難撓みパレットを標準収納部に収納する収納対象のパレットとし、易撓みパレットを補助収納部に収納するパレットとする形態を例示したが、補助収納部が満杯ではないものの、撓み量が許容限度を超えるパレットが標準収納部に収納されている場合においては、難撓みパレット及び易撓みパレットを標準収納部に収納する収納対象のパレットとする形態で実施してもよい。
【符号の説明】
【０２６０】
１          保管棚
８          物品載置体
９          柱
１０        支持体
Ｂ          物品
Ｄ          積付け部
Ｆ          搬送手段
Ｈ          制御手段
Ｌ１        間隔
Ｌ３        設定融通距離
Ｐ          パレット
Ｓ          収納部
【図１】
0005660392.tif 000002
【図２】
0005660392.tif 000003
【図３】
0005660392.tif 000004
【図４】
0005660392.tif 000005
【図５】
0005660392.tif 000006
【図６】
0005660392.tif 000007
【図７】
0005660392.tif 000008
【図８】
0005660392.tif 000009
【図９】
0005660392.tif 000010
【図１０】
0005660392.tif 000011
【図１１】
0005660392.tif 000012
【図１２】
0005660392.tif 000013
【図１３】
0005660392.tif 000014